(57)【要約】 【課題】携帯式の固有情報記憶手段から読取装置への固有情報の読み取り作業を１回の操作で可能にする。【解決手段】運動者を認証するための固有情報が記録されたＩＣチップ７を有するリストバンド８と、スタジオに配置され、ＩＣチップに記録された固有情報を無線で受信して読み取るスタジオゲート３と、運動データ管理用サーバ装置４とからなる。スタジオゲート３は、固有情報を読み取ると、その旨を運動データ管理用サーバ装置４に送信する。運動データ管理用サーバ装置４は、運動が実行される場所及び時間帯がスケジュールとして格納され、また運動の種類に対応した標準消費カロリーが格納されたスケジュール記憶部と、受信した固有情報及びスケジュール記憶部に格納された内容から、固有情報を携帯した運動者の消費カロリーを計算する。【選択図】図１
2007164623.tif 000002
【特許請求の範囲】
【請求項１】
運動者の運動結果に関する情報を管理する運動データ管理システムにおいて、
運動者を認証するための固有情報が記録された携帯式の固有情報記憶手段と、運動が実行される場所に対応して配置され、前記固有情報記憶手段に記録された固有情報を読み取る読取装置と、所定場所に配置された運動データ管理用サーバ装置とからなり、
前記読取装置は、前記固有情報を読み取ると、その旨を前記運動データ管理用サーバ装置に送信する読取側通信部を備え、
前記運動データ管理用サーバ装置は、運動が実行される時間帯がスケジュールとして格納された第１の記憶手段と、運動の種類に対応しての運動結果に関して予め設定された情報が格納された第２の記憶手段と、前記固有情報及び該固有情報を読み取った旨の情報を前記読取装置から受信するサーバ側通信手段と、前記サーバ側通信手段で受信した固有情報、読み取った旨の情報及び第１、第２の記憶手段に格納された内容から、前記固有情報記憶手段を携帯した運動者の運動結果に関して予め設定された情報を取得する運動データ取得手段とを備えたことを特徴とする運動データ管理システム。
【請求項２】
前記読取装置は、可搬性を有する形態をなすと共に、配置場所に関する場所情報を設定する設定手段を設けてなり、前記読取側通信部は、読み取った固有情報を前記場所情報と共に前記データ管理用サーバ装置に送信することを特徴とする請求項１記載の運動データ管理システム。
【請求項３】
前記固有情報記憶手段は、固有情報を空間の近距離に送信する送信器を有し、前記読取装置は、前記送信器から送信された固有情報を受信する受信器を有することを特徴とする請求項１又は２記載の運動データ管理システム。
【請求項４】
前記読取装置は、前記筐体の前面に、前記固有情報記憶手段を近接させるガイドマークを表記したことを特徴とする請求項３記載の運動データ管理システム。
【請求項５】
前記読取装置は、固有情報を読み取ったことに応答して報知動作を行う報知部を備えることを特徴とする請求項１〜４のいずれかに記載の運動データ管理システム。
【請求項６】
前記サーバ側通信手段は、固有情報を受信したことを受けて、前記読取装置に受信確認信号を返送し、前記読取装置は、前記返送された受信確認信号を読み取ると、報知動作を行う報知部を備えることを特徴とする請求項１〜４のいずれかに記載の運動データ管理システム。
【請求項７】
前記第２の記憶手段は、運動の種類に対応しての運動結果に関して予め設定された情報として、運動者が当該運動を行うことで消費すると想定される消費カロリーを格納するものであり、前記運動データ取得手段は、運動者の消費カロリーを算出するものであることを特徴とする請求項１〜６のいずれかに記載の運動データ管理システム。
【請求項８】
運動者の認証情報と当該運動者の個人情報とを対応付けて格納する第３の記憶手段を備え、前記運動データ取得手段は、運動者の消費カロリーを個人情報を用いて算出するものであることを特徴とする請求項７記載の運動データ管理システム。
【請求項９】
請求項１〜８のいずれかに記載の運動データ管理システムに用いられる運動データ管理用サーバ装置。
【発明の詳細な説明】
【技術分野】
【０００１】
本発明は、運動者の運動結果に関する情報を管理する運動データ管理システム、及びこれに用いられる運動データ管理用サーバ装置に関する。
【背景技術】
【０００２】
従来、トレーニング管理システムとして、トレーニングマシンが装備されたターミナルにカードリーダを配置し、各利用者は、利用開始時に自己の利用者カードを前記カードリーダに挿入し、利用終了時にカードリーダから引き出すことで、利用実績を収集し、ネットワークを介してホストコンピュータ（サーバ装置等）に転送するものが提案されている（特許文献１）。このシステムでは、利用実績を収集することが困難なトレーニングであるエアロビクス、スイミング、フリーウエイトの場合、トレーニングエリアに設置されているターミナルの識別部（カードリーダ）に利用者カードを挿入し、カードが挿入されている時間を利用時間として計測し、この利用時間から消費カロリーを算出するようになっている。
【特許文献１】特開平１０−２３００３５号公報
【発明の開示】
【発明が解決しようとする課題】
【０００３】
特許文献１に記載のシステムによれば、利用実績を収集することが困難なトレーニングであるエアロビクス等の場合に、トレーニングエリアに設置されているターミナルの識別部に利用者カードを挿入し、カードが挿入されている時間を利用時間として計測するようになっているが、エアロビクス、スイミングのように多人数でトレーニングをするものでは、その人数分のカードリーダを用意しておかなければならず、システムの大型化となる。また、利用者カードを運動時間中、継続してカードリーダに挿入しておくものであることから、利用者に対して、運動開始時での利用者カードの挿入操作と、運動終了時での取り出し操作とを強いることとなる。また、挿入時と取り出し時に時間差があることから、その間に、誤って他人の利用者のカードを引き出してしまう虞も考えられる。
【０００４】
また、上記システムとは別に、運動者自らが運動データの管理を行うサーバに対して手入力する方法も考えられるが、この場合、運動者が運動後、またはトレーニングジムから帰宅する前に入力操作を行わなければならないために、体力を消耗した後でもあり、また操作が煩雑で手間を要する。さらに、運動者が自分の運動結果を記憶に頼って入力することから、複数の運動を行った場合に正確なデータを入力できない可能性がある。加えて、入力時に誤ったデータを入力してしまうこともあり得る。
【０００５】
本発明は上記に鑑みてなされたもので、運動者を認証するための固有情報が記録された携帯式の固有情報記憶手段から読取装置への固有情報の読み取り作業を１回の操作で可能にし、煩雑な操作が不要で、かつ正確なデータ記録を残すことを可能にする運動データ管理システム、及びこれに用いられる運動データ管理用サーバ装置を提供することを目的とするものである。
【課題を解決するための手段】
【０００６】
請求項１記載の発明は、運動者の運動結果に関する情報を管理する運動データ管理システムにおいて、運動者を認証するための固有情報が記録された携帯式の固有情報記憶手段と、運動が実行される場所に対応して配置され、前記固有情報記憶手段に記録された固有情報を読み取る読取装置と、所定場所に配置された運動データ管理用サーバ装置とからなり、前記読取装置は、前記固有情報を読み取ると、その旨を前記運動データ管理用サーバ装置に送信する読取側通信部を備え、前記運動データ管理用サーバ装置は、運動が実行される時間帯がスケジュールとして格納された第１の記憶手段と、運動の種類に対応しての運動結果に関して予め設定された情報が格納された第２の記憶手段と、前記固有情報及び該固有情報を読み取った旨の情報を前記読取装置から受信するサーバ側通信手段と、前記サーバ側通信手段で受信した固有情報、読み取った旨の情報及び第１、第２の記憶手段に格納された内容から、前記固有情報記憶手段を携帯した運動者の運動結果に関して予め設定された情報を取得する運動データ取得手段とを備えたことを特徴とするものである。
【０００７】
この構成によれば、利用者によって、運動者（自己）を認証するための固有情報が記録された固有情報記憶手段から読取装置に対して読み取らせるための操作、すなわち１回の操作が行われると、読取装置によって、固有情報の読み取りが行われ、固有情報及び読み取った旨の情報が読取側通信部とサーバ側通信部とを介して運動データ管理用サーバ装置に転送される。また、読み取った旨の情報としては、読み取り装置が時刻カウンタを備えているときは、時刻情報を含み、一方、時刻カウンタを内蔵していないとき（この場合、運動データ管理用サーバ装置が内蔵している）は、読み取り時点で読み取り処理を示す情報となる。運動データ管理用サーバ装置の運動データ取得手段は、受信した情報から時刻情報を取得し、第１の記憶手段の記憶内容と照合して、受信時刻が属する時間帯の運動の種類（運動種目）を特定し、さらに、第２の記憶手段の記憶内容から、特定された運動の種類に対する運動結果に関して予め設定された情報を取得する。
【０００８】
請求項２記載の発明は、請求項１記載の運動データ管理システムにおいて、前記読取装置が、可搬性を有する形態をなすと共に、配置場所に関する場所情報を設定する設定手段を設けてなり、前記読取側通信部が、読み取った固有情報を前記場所情報と共に前記データ管理用サーバ装置に送信することを特徴とする。
【０００９】
この構成によれば、読取装置が例えば壁面に埋め込まれるようなものではなく、独立して搬送可能であり、かつ設置した場所を特定する情報を運動データ管理用サーバ装置に送信することが可能となるので、例えば複数のスタジオやプール等を有するフィットネスクラブにおいて、スタジオを変更する場合や、あるスタジオで使用していた読取装置をプールでのトレーニングのために使用する場合等、同じ筐体を移動して使用することが可能となる。このように配置場所を変更する場合には、変更先の場所特定のため、筐体内に設けている配置場所選択スイッチのような設定手段の場所情報を変更先の場所特定のため、筐体内に設けられている設定手段を操作して場所情報を変更先の場所情報に切り換えるなどの設定を行えばよい。設定手段としては、選択式スイッチ、例えばトグルスイッチやディップスイッチ等を使用できる。このようにすれば、サーバ装置側における、読取装置の特定と場所情報との照合テーブルの内容を変更しなくて済む。
【００１０】
また、スタジオへの入室確認のための読取装置が壁面に埋め込まれたような態様では、利用者の入室時の動線等を考慮したレイアウト変更やスタジオ内の空間の使い方の変更を行うことはできないが、請求項２による読取装置であれば、実際の利用者の入室状況を見て、その後に自在に読取装置の配置を変えることができる。
【００１１】
さらに、例えばフィットネスクラブのイベント等において、大規模なスタジオを使用する場合があるが、利用者が多数入室することで、一箇所に集中して順番待ち等をすることのないよう、同一スタジオ内に別の読取装置を追加し、複数箇所での読み取りを行うことができる、この際に、他のスタジオまたはプール等に配置している別の読取装置を一時的に利用する等、柔軟な対応を取ることができる。この場合、設定手段を、この大規模スタジオの場所に切り換えて使用し、イベントが終了すれば、元の場所に戻せばよい。可搬性としては、人手によって移動可能であればよいが、好ましくは、人が抱えて搬送できる形態（大きさ乃至は重量）であることが望ましい。
【００１２】
請求項３記載の発明は、請求項１又は２記載の運動データ管理システムにおいて、前記固有情報記憶手段は、固有情報を空間の近距離に送信する送信器を有し、前記読取装置は、前記送信器から送信された固有情報を受信する受信器を有することを特徴とする。この構成によれば、携帯式の固有情報記憶手段を読取装置に近くに接近させる操作を１回行うだけで、固有情報の読み取りを行わせることが可能となる。なお、近距離とは、読取装置の近くに居たり、通過した場合には読み取らないレベルの感知距離をいう。
【００１３】
請求項４記載の発明は、請求項３記載の運動データ管理システムにおいて、前記読取装置は、前記筐体の前面に、前記固有情報記憶手段を近接させるガイドマークを表記したことを特徴とする。この構成によれば、読取装置の前面にガイドマークを標記して固有情報の読み取らせ方を案内したので、利用者に対して正しい読み取り操作を促すことが可能となる。
【００１４】
請求項５記載の発明は、請求項１〜４のいずれかに記載の運動データ管理システムにおいて、前記読取装置は、固有情報を読み取ったことに応答して報知動作を行う報知部を備えることを特徴とする。この構成によれば、読取装置が固有情報と認識すると、発光素子や発音素子等を利用して、その旨を利用者に報知するので、読み取りが終了したことの報知が効果的に行われる。なお、読取装置が固有情報の内容までは認識せず、固有情報の形式の信号を受信したことを受けて報知動作を行う態様も含む。この場合、固有情報の内容は、運動データ管理用サーバ装置で行われる。
【００１５】
請求項６記載の発明は、請求項１〜４のいずれかに記載の運動データ管理システムにおいて、前記サーバ側通信手段は、固有情報を受信したことを受けて、前記読取装置に受信確認信号を返送し、前記読取装置は、前記返送された受信確認信号を読み取ると、報知動作を行う報知部を備えることを特徴とする。この構成によれば、運動データ管理用サーバ装置は読取装置からの固有情報を受信すると、運動データ管理用サーバ装置から受信確認信号が返送され、この返送された受信確認信号を受けて報知部で報知動作が行われるので、読み取り操作が正確に行われたことの報知が効果的に行われる。
【００１６】
請求項７記載の発明は、請求項１〜６のいずれかに記載の運動データ管理システムにおいて、前記第２の記憶手段は、運動の種類に対応しての運動結果に関して予め設定された情報として、運動者が当該運動を行うことで消費すると想定される消費カロリーを格納するものであり、前記運動データ取得手段は、運動者の消費カロリーを算出するものであることを特徴とする。この構成によれば、読取装置に固有情報の読み取り操作を行わせるだけで、運動結果としての消費カロリーの算出が行われるので、従来、困難であった、運動機器（トレーニングマシン）を用いない運動（トレーニング）についてもカロリーの消費量を反映することが可能となる。
【００１７】
請求項８記載の発明は、請求項７記載の運動データ管理システムにおいて、運動者の認証情報と当該運動者の個人情報とを対応付けて格納する第３の記憶手段を備え、前記運動データ取得手段は、運動者の消費カロリーを個人情報を用いて算出するものであることを特徴とする。この構成によれば、体重などの個人情報を利用して消費カロリーを算出するので、より正確な消費カロリー値が取得される。
【００１８】
請求項９記載の発明は、請求項１〜８のいずれかに記載の運動データ管理システムに用いられる運動データ管理用サーバ装置である。この構成によれば、運動データ管理システムに用いて好適な運動データ管理用サーバ装置が提供される。
【発明の効果】
【００１９】
請求項１記載の発明によれば、運動者を認証するための固有情報が記録された携帯式の固有情報記憶手段から読取装置への固有情報の読み取り作業を１回の操作で可能にし、これによって運動結果に関して予め設定された情報の管理を可能としたので、利用者の操作性を向上させることができる。また、読取装置については、データの分析などは行わず、読み取り操作と運動データ管理用サーバとの通信機能のみを可能とした簡易な構造としたので、振動発生、湿度変化等のスタジオ環境に対しても誤動作、故障が低く、高い信頼性を確保できる。
【００２０】
請求項２記載の発明によれば、スタジオを変更する場合や、あるスタジオで使用していた読取装置をプールでのトレーニングのために使用する場合等、自在に対応が可能となる。また、実際の利用者の入室状況を見て、その後に自在に読取装置の配置を変えることができる。さらに、大規模なスタジオを使用する場合等において、同一スタジオ内に別の読取装置を追加し、複数箇所での読み取りを行うことができる。この際に、他のスタジオまたはプール等に配置している別の読取装置を一時的に利用する等、柔軟な対応を取ることができる。
【００２１】
請求項３記載の発明によれば、携帯式の固有情報記憶手段を読取装置の近くに接近させる操作で済むので操作性をより向上させることができる。また、近接式の読取装置であるため、カードリーダ式と異なり露出部分がなく、スタジオの湿度の過多などの影響も少ない等、耐環境性を高くできる。
【００２２】
請求項４記載の発明によれば、読取装置の前面にガイドマークを表記して固有情報の読み取らせ方を案内したので、利用者に対して正しい読み取り操作を促すことができる。
【００２３】
請求項５記載の発明によれば、読取装置が固有情報と認識すると、発光素子や発音素子等を利用して、その旨を利用者に報知するので、読み取りが終了したことの効果的な報知ができる。
【００２４】
請求項６記載の発明によれば、運動データ管理用サーバ装置が読取装置からの固有情報を受信すると、運動データ管理用サーバ装置から受信確認信号を返送し、この返送された受信確認信号を受けて報知部で報知動作を行わせるので、読み取り操作が正確に行われたことの効果的な報知ができる。
【００２５】
請求項７記載の発明によれば、読取装置に固有情報の読み取り操作を行わせるだけで、運動結果としての消費カロリーの算出を行わせるので、従来、困難であった、運動機器（トレーニングマシン）を用いない運動（トレーニング）についてもカロリーの消費量を好適に反映することができる。
【００２６】
請求項８記載の発明によれば、体重などの個人情報を利用して消費カロリーを算出するので、より正確な消費カロリー値を取得することができる。
【００２７】
請求項９記載の発明によれば、運動データ管理システムに用いて好適な運動データ管理用サーバ装置を提供できる。
【発明を実施するための最良の形態】
【００２８】
図１は、本発明の運動データ管理システムのハードウェア構成図の一実施形態である。運動データ管理システムは、利用者の歩数をカウントし、記憶する携帯式の歩数計１と、フィットネスクラブに配設された、一例としての固定式サイクリングマシン等の複数の各種運動機器２と、フィットネスクラブに配設されたエアロビクス、スイミング、太極拳、ヨガ等が行なわれるスタジオへの入室者の識別情報を検出するスタジオゲート３（読取装置に対応する）と、フィットネスクラブの利用者の運動データを管理する運動データ管理用サーバ装置４と、運動データ管理用サーバ装置４と通信可能に接続され外部からの入力を受け付けてモニタに種々の画面を表示する１又は所要台数のクライアント端末装置５とを備えている。
【００２９】
歩数計１は、圧電素子等からなるセンサの信号から利用者の歩数及び走数（走った場合の歩数）をカウントすると共に時計機能を有し、所定時間（例えば１時間）毎の歩数及び走数を日時情報と対応付けて記憶するものである。更に、外部からの入力を受け付けるボタンを有し、ボタン操作によって種々の情報（例えば、１日の合計歩数）を表示するＬＣＤ等からなる表示部を備える。
【００３０】
運動機器２は、フィットネスクラブの利用者が各種の運動を行なう目的で使用する機器であって、運動データ管理用サーバ装置４と通信可能に接続され、運動機器２において消費されたカロリー等の情報を利用者の識別情報と対応付けて運動データ管理用サーバ装置４へ送信するものである。
【００３１】
スタジオゲート３は、後述するＩＣチップに格納されたＩＤ情報（ＩＣチップＩＤという）を読み取るＩＣチップリーダ３１を備え、フィットネスクラブに配設された、エアロビクス、スイミング、太極拳、ヨガ等が行なわれるスタジオへの入室者の識別情報を後述するＩＣチップに格納されたＩＤ情報を読み取ることによってスタジオへの入室者の識別情報を検出すると共に、時計機能を有する時刻カウンタ３２を備え、入室の年月日時刻を検出し、ＩＣチップＩＤと入室の年月日時刻情報とを対応付けて運動データ管理用サーバ装置４に送信するものである。なお、スタジオゲート３が複数配設されている場合には、ゲートの識別番号であるゲート番号を格納するゲート番号記憶部３３を備え、ゲート番号、ＩＣチップＩＤと入室の年月日時刻情報とを対応付けて運動データ管理用サーバ装置４に送信するものである。
【００３２】
運動データ管理用サーバ装置４は、歩数計１からの歩数データ及び各運動機器２からの第２運動データを読み出し、及びスタジオゲート３からの受信情報から利用者毎の消費カロリーの総計である総消費カロリーを求めるものである。
【００３３】
クライアント端末装置５は、外部からの入力を受け付けて、種々のデータを運動データ管理用サーバ装置４から受信し利用者の所望する種々の画面を表示すると共に、外部からの入力を受け付けて、種々のデータを運動データ管理用サーバ装置４へ送信するものである。
【００３４】
ここで、フィットネスクラブ内における利用者の識別方法について簡単に説明する。まず、利用者がフィットネスクラブへの入会を申し込むと、氏名、生年月日、ユーザーＩＤ等が磁気カード等に格納されたＩＤカード６が発行されると共に、氏名、生年月日、ユーザーＩＤ等の情報が歩数計１及び運動データ管理用サーバ装置４に格納される。利用者がフィットネスクラブを利用する場合に、ＩＤカード６（図示省略）をフィットネスクラブの受け付けに提示すると、ＩＤカード６に格納されたユーザーＩＤと運動データ管理用サーバ装置４に格納されたユーザーＩＤとが照合され会員であるか否かが判定される。そして、会員であると判定された場合には、フィットネスクラブへの入館が許可されると共に、フィットネスクラブ内での個人認証に用いられるＩＣチップＩＤ等が格納されたＩＣチップ７が適所に埋め込まれた携帯式のリストバンド８（固有情報記憶手段）が利用者に渡され、ＩＣチップＩＤがユーザーＩＤと対応付けて後述する運動データ管理用サーバ装置４の入館者データ記憶部４６２７に格納される。利用者は、運動機器２、スタジオゲート３及びクライアント端末装置５に配設されたＩＣチップリーダにリストバンド８を近づけることによって各機器での個人認証が行なわれる。
【００３５】
リストバンド８は、図１に示すように、腕時計を模擬した形を有し、内部にＩＣチップＩＤ、その他の情報が書き込まれたもので、これらの情報を外方に向けて所定の近距離だけ送信する電力で送信動作を行う通信部８１を有する。これにより、個人認証を意図する利用者のみの情報が読み取られ、近くにいるそれ以外の者の情報を誤って読み取らないようにしている。
【００３６】
図２〜図５は、スタジオゲート３の構成を示すもので、図２は外観斜視図、図３は分解斜視図、図４は内部構造を示す図、図５は内装されている各基板と基板間の信号の流れを示す構成図である。
【００３７】
図２、図３において、スタジオゲート３は各種基板等を内装する筐体３１０と、筐体３１０の上面（前面）に配置され、デザイン的観点から採用された所要形状、ここでは四角形の樹脂板３２０と、樹脂板３２０の表面に敷設される化粧板３３０とを有して構成されている。筐体３１０は縦断面視で略四角形を有し、上面は所定角度、ここでは利用者による操作が容易な角度、例えば略４５度（好ましくは３０度〜６０度）に傾斜されており、この傾斜に沿って、所要形状の開口を有する蓋体３１１が取り付けられている。また、蓋体３１１の開口の周端適所、ここでは四角形の開口の４辺部分には発光素子としてのＬＥＤ３４１が設けられた発光基板３４０がそれぞれ取り付けられている。
【００３８】
樹脂板３２０には前記蓋体３１１の開口に対向する位置に開口が形成されており、かつ表面にはＬＥＤ３４１（報知部）からの発光光が樹脂板３２０を通過して利用者に認識できる程度の半透明に着色されている。樹脂板３２０は所要の着色剤を混入して形成したものでもよい。化粧板３３０は、樹脂板３２０の開口を少なくとも覆うサイズを有し、表面には、所定のガイドマークＧＭ、ここでは所定色のリング図形と、その中央に人間の腕に嵌められたリストバンドの図形が描かれている。この図形によって、入館後に利用者が携帯するリストバンド８をスタジオゲート３に対してどのように操作したらよいかを案内している。なお、表記される図形（ガイドマーク）は、操作方法をガイド乃至は示唆するものであれば、本実施例に限定されず、種々の図形、図柄が採用可能である。
【００３９】
図３、図４において、筐体３１０の内部には、図１に示すＩＣチップリーダ３１、時刻カウンタ３２、ゲート番号記憶部３３を少なくとも内装する構成が設けられている。図４に示すように、シャーシ板３５０は上面側に所要本数立設されたボスを介して蓋体３１１の裏面に固定されている（なお、図４では筐体３１０の一部は省略している）。シャーシ板３５０の下面側には、図４の右方から通信用制御基板３５１と２個の電源基板３５２，３５３がボスを介して固定され、シャーシ板３５０の上面側には、略中央にリストバンド８の通信部８１からの情報を受信するアンテナ基板３５４、アンテナ基板３５４からの受信情報を処理する受信基板３５５（ＩＣチップリーダ３１に相当する）が取り付けられている。アンテナ基板３５４は蓋体３１１の開口から露出する位置に配置されて、受信動作が確保されている。
【００４０】
なお、スタジオゲート３の全体の大きさは、縦、横、高さともほぼ２０ｃｍから３０ｃｍ程度の大きさを有するものとしており、人が容易に搬送、設置できる程度の大きさに収められている。また、スタジオゲート３は後述する電源基板や制御基板その他の構成からなる自重により容易には移動（位置ずれ）しないものであるが、より確実な安定のために、例えば筐体３１０の底面部に設置場所に対する固定部を設けるようにしてもよい。但し、その場合でも、スタジオゲート３を別の場所に移動できるように容易に取り外しできる構成とすることが望ましい。固定部としては例えば両面接着テープや設置面に対して接着効果の高いジェル材等、その他面ファスナー等を使用できる。
【００４１】
また、筐体３１０の底板には、スイッチ状態で所定ビットのコード情報を表現するための、設定手段に相当する所定個数の配置場所選択スイッチ３６０（ゲート番号記憶部３３に対応する）、ここでは３個のトグルスイッチ３６１，３６２，３６３が取り付けられている（以下、必要に応じてトグルスイッチで説明する。）。この３個のトグルスイッチの２状態の切り換えを予め適宜設定しておくことで、スタジオゲート３の識別コード（ゲート識別情報）を３ビットで形成することができる。コネクタ３７０は運動データ管理用サーバ装置４とのデータ授受のための配線用である。ＡＣインレット３８０はＡＣ電源コードを差し込み接続するものである。
【００４２】
ここで、上述の通り、３個のトグルスイッチを設けることによって、図５に示すように、スタジオゲート３の筐体３１０（以下、必要に応じて筐体３１０で説明する。）の配置場所について、ａ）からｈ）のように８種類の場所特定の情報であるゲート番号を設定することができる。なお、この例ではフィットネスクラブに３つのスタジオ、２つのプールを備えた場合を示している。残りの３つのゲート番号はイベント用や施設が増加した場合、あるいは今まで使用しなかった施設について将来利用する場合等の予備である。ここで、例えば、筐体３１０をスタジオ１に配置する場合には、トグルスイッチ３６１〜３６３を図５の表のビット１，２，３の組み合わせがそれぞれ（０，０，０）となるように設定しておく。これにより、この筐体３１０から運動データ管理用サーバ装置４へデータ送信する際、ＩＣチップＩＤと入室の年月日時刻情報と併せてこのスタジオの場所情報、すなわちゲート番号が送信されるため、運動データ管理用サーバ装置４において、このデータの発信場所はスタジオ１であると特定される。この結果、後述のとおり、スタジオ１において、このデータが送信される時間において実施されるプログラムも特定され、このプログラムで消費されると想定されるカロリーが自動的に算出される。
【００４３】
筐体３１０は、同一スタジオ又は同一プール等、所定の同一の施設において予めスケジュールが定められている複数の運動プログラムが実施される場合に配置すればよく、この条件を満たすのであれば、同時に複数の施設に配置してもよい。図５の例では、例えば、スタジオ１，プール１のそれぞれにおいて複数プログラムが行われるのであれば、この２箇所各々に筐体３１０を１個ずつ設置すればよい。この場合、トグルスイッチ３６１〜３６３を図５の表のビット１，２，３，の組み合わせをスタジオ１及びプール１それぞれについて（０，０，０）及び（０，１，１）と設定する。ところで、所定の期間、２つの施設で試用してみて、利用者の希望等を反映した結果、例えばプールでのプログラムよりもスタジオでのプログラムに利用した方が望ましいと判断される場合もある。この場合は、プール１に配置した筐体３１０を例えばスタジオ２に移動して活用すればよい。この際、トグルスイッチ３６１〜３６３の設定をプール１に対応する（０，１，１）からスタジオ２に対応する（０，０，１）に変更すればよい。このように、本筐体は施設の構造自体に組み込まれたものではなく、配置場所を変更できる搬送可能なものとしたので、自由度があり、極めて有用である。
【００４４】
さらに、同じスタジオ内であっても、例えばＩＤデータ等の読取装置が壁面に埋め込まれた態様であれば、利用者の入室時の動線等を考慮したレイアウト変更やスタジオ内の空間の使い方の変更には対応できないが、本発明によるスタジオゲート３の筐体３１０であれば、実際の利用者の入室状況等を見て、信号配線の引き回しを変えることで、自在に筐体３１０の配置を変えることができる。さらに、後述の図６の例のように無線によって信号を送信する構成とすれば、信号配線の引き回しも不要となり、より自由度が向上する。
【００４５】
また、フィットネスクラブのクラブメンバーが多数参加するようなイベント等において、大規模なスタジオを使用する場合があるが、利用者が多数入室することで、一箇所に集中して読み取りの順番待ち等をすることのないように、同一スタジオ内に別の筐体３１０を追加し、複数箇所での読み取りを行うことができる。この際、他のスタジオ又はプール等に配置している別の筐体を一時的に利用する等、柔軟な対応をとることができる。この場合、配置場所設定のためのスイッチ３６０のトグルスイッチ３６１〜３６３の設定を、例えば図５のｆ）の（１，０，１）と切り換えて使用し、イベントが終了すれば元の設定に戻して、使用していた場所に返せばよい。なお、イベント用として使用する予備の筐体を予め準備していても勿論よい。以下、上記のイベントの例について更に説明する。
【００４６】
図６は、通常はバスケットボールやバレーボール等の球技を行うような大きいフロアにおいて、大人数が参加するフィットネスのイベントを行うようなケースに本発明のシステムを適用する方法を示した図である。このようなフロアでは、フィットネスプログラムを毎日行うことはないので、運動データ管理用サーバ装置４との通信を行うための端子等も設けられていないため、配線を引き回すこともできない。そこで、スタジオゲート３で読み取ったデータを、無線で運動データ管理用サーバ装置４に送信するようにしている。
【００４７】
図６において、イベント参加者（運動者）の運動領域となるフロア９内の第１のスタジオゲート３００１と第２のスタジオゲート３００２とを、参加者の利用が円滑に行われるように適当な距離だけ離して配置する。このようにすることで、スタジオゲートが１つのみの場合における利用者の１箇所への集中による入館の際の混雑を回避することが可能となる。スタジオゲートは、必要に応じて所定数、例えば２つの他、３つ準備してもよい。ここで、スタジオゲート３００１及び３００２のスイッチ３６０は、いずれも図５中の、例えばｆ）の（１，０，１）と設定する。これは、スタジオゲートは２つ使用するものの、同じフロアにおいて、参加者は当然ながら同じプログラムを受けるためである。なお、運動データ管理用サーバ装置４側においては、このフロアのゲート番号である（１，０，１）に対応して、このイベントで消費されるカロリーの算出を行うようデータ入力等の設定を行っておく。さらに、スタジオゲート３００１からの信号を有線によって受信する第１のターミナル９０１を設ける。ここで、ターミナルは有線の信号と無線の信号とを相互に変換可能とした変換器である。例えばメディアコンバータ等を使用することができる。同様に、スタジオゲート３００２からの信号を受信する第２のターミナル９０２を設ける。この構成において、ターミナル９０１及び９０２で受信された各信号は無線（図６の点線部）によってフロア９の外に設けられた第３のターミナル９０３に送信される。ここで、ターミナル９０３をフロア９の外に設けているのは、有線部（図６の実線部）がフロア内外を跨ぐことがないようにするためである。有線部がフロア内外を跨ぐようにするには、施設の一部に貫通孔を設ける必要があるからである。特にこの点が問題なければ、フロア内にターミナル９０３を設けるようにしてもよい。そして、ターミナル９０３で受信された各信号は、有線によって集線装置であるハブ９０４を介して運動データ管理用サーバ装置４に送信される。
【００４８】
上記構成とすれば、参加者の入館の際に混雑を招くこともなく、イベント参加による消費カロリーデータが個人データに自動的に累積追加されるシステムを実現できる。しかも、スタジオゲートとターミナルとをセットとすることで、配線コードを引き回すこともなくスタジオゲートをフロアの適当な場所に配置できるので、会場の設営等に関して高い自由度が得られ、イベントのような通常行われないプログラムを行う場合に対しても、容易に対応することができる。
【００４９】
図７において、通信用制御基板３５１は、各基板との間のデータ授受、及び運動データ管理用サーバ装置４との間での通信を行う通信部を備え、発光基板３４０に対して、リストバンド８から固有情報の読み取りが終了すると、あるいは読み取った固有情報が運動データ管理用サーバ装置４に転送され、その受信の確認がされて返信される受信確認信号を受信すると、オフをオンに変更してＬＥＤを所定の表示形態で点灯させる。これにより利用者は、読み取りが終了したことを認識することが可能となる。通信用制御基板３５１で固有情報の読み取りを確認する態様では、読み取ったアナログ信号を成形してデジタル信号に変換する信号処理部の他、固有情報としての信号か否かを判断する判定処理部を備えているものとする。アンテナ基板３５４（受信機）は固有情報の読み取り処理、例えば所定周期で通信部（アンテナ等）から電磁エネルギーを送信し、近傍にリストバンド８が存在すれば、このエネルギーをリストバンド８の内部で電力に変換して、アンテナ等を含む通信部８１を可動させ、固有情報の送信動作を行わせると共に、電磁エネルギー送信後の所定時間、固有情報の受信待ち状態、及び受信動作を行わせるものである。また、アンテナ基板３５４はスイッチ３６０のスイッチ状態を読み取ってスタジオゲート３のゲート識別情報を取得するものである。
【００５０】
図８は、歩数計１の外観を示す斜視図の一例である。歩数計１は、累積歩数、累積走数等のデータを表示するＬＣＤ等からなるモニタ１３と、モニタ１３に表示するデータを選択する等の操作を受け付ける操作ボタン１１と、後述する歩数記憶部１５２に格納された累積歩数、累積走数等のデータを消去する場合に押下されるリセットボタン１２と、後述するセンサ１４、制御部１５等を収納するケース１６とを備えている。
【００５１】
図９は、歩数計１の主要部の機能構成図の一例である。歩数計１は、圧電素子等からなり振動（または加速度）を検出するセンサ１４と、センサ１４からの信号を受け付けて歩数、走数をカウントすると共に操作ボタン１１及びリセットボタン１２からの入力を受け付けて累積歩数、累積走数等のデータを処理する制御部１５と、累積歩数、累積走数等のデータ（以下、歩数データという）を表示するＬＣＤ等からなるモニタ１３とを備えている。なお、センサ１４、制御部１５は、ケース１６内の適所に配設されている。また、歩数計１は、累積歩数、累積走数等のデータを運動データ管理用サーバ装置４に送信すると共に、ユーザーＩＤ等のデータを運動データ管理用サーバ装置４から受信する送受信部を備えている（図示省略）。
【００５２】
制御部１５は、センサ１４からの信号を受け付けて歩数、走数をカウントする歩数演算部１５１と、歩数演算部１５１によってカウントされた歩数、走数を図略の時計の年月日時刻情報と対応付けて格納する歩数記憶部１５２と、操作ボタン１１からの入力に基づいて歩数記憶部１５２から累積歩数、累積走数等のデータを読み出してモニタ１３に表示する歩数表示部１５３とを備えている。
【００５３】
歩数演算部１５１は、センサ１４からの信号を受け付けて種々の信号処理を施して、歩いている状態か走っている状態かを判定し、歩数、走数をそれぞれカウントするものである。
【００５４】
歩数記憶部１５２は、歩数演算部１５１によってカウントされた歩数、走数を図略の時計の年月日時刻情報と対応付けて格納する（例えば、１時間毎の歩数、走数を格納する）と共に、ユーザーＩＤを格納するものである。
【００５５】
歩数表示部１５３は、操作ボタン１１からの入力に基づいて歩数記憶部１５２から累積歩数、累積走数等のデータを読み出してモニタ１３に表示するものである。
【００５６】
図１０は、運動機器２の一例としてのサイクリングマシンの構成図である。サイクリングマシンは、固定式で、前後輪を除いた形の自転車を模擬したもので、筐体２Ａの上部にサドル２０が取り付けられ、筐体２の下部前後には、姿勢安定用の脚部２ａが取り付けられ、また筐体２内部の前後方向両側部には左右に水平な回転軸２１，２２が軸支されている。回転軸２１，２２にはギア２１ａ，２２ａが共回り可能に連結され、両ギア２１ａ，２２ａ間には無端チェーン２３が張設されている。回転軸２１の両側には一対のペダル２１ｂが取り付けられ、利用者により漕ぐことが可能にされ、この漕ぎ動作が回転軸２１から無端チェーン２３を介して伝達され、後方の回転軸２２が回転するようになっている。本実施形態では前方側の回転軸２１に、例えばギア２１ａを挟むようにして対向配置された、検出部としての回転センサ２１ｃが配設されている。回転センサ２１ｃとして、例えばギア２１ａを挟んで対向する構成の発光部と受光部を備え、ギア２１ａの歯先が通過する毎にパルスを出力することで、回転パルスを発生するロータリエンコーダで、実質的にペダル２１ｂの回転を検出する。発光部と受光部とを備えた回転センサ等の近接スイッチ等に代えて機械的なスイッチを採用することもでき、またギア２１ａの歯先以外の回転部位を検出する構成としてもよい。
【００５７】
後方の回転軸２２には、負荷状態を可変制御する負荷変更手段として電磁クラッチ２２ｂが取り付けられ、電磁クラッチ２２ｂへの供給電力を調整に応じてブレーキ負荷量（制動量）が変更されるようになっている。なお、負荷変更手段としては渦電流を利用して制動量を可変する電磁クラッチの他、種々の態様、例えば機械的なブレーキ部材などを電力により、あるいは油圧などを利用して制動量の可変を行なうものでもよい。
【００５８】
筐体２の前端には支持アーム２ｂが立設され、その上部であってサドル２０に腰を掛けた利用者の頭部前面にほぼ一致する高さ位置にモニタ２４が設置され、その下方にスピーカ２５及び送風ファン２６がそれぞれ後方に向けて取り付けられ、さらにハンドル２ｃが設けられている。モニタ２４は画像を表示する例えば薄形の液晶表示器である。スピーカ２５は所定のメッセージやＢＧＭを出力するものである。送風ファン２６は回転センサ２１ｃの検出結果に応じた回転速度でファンが回転するように制御され、屋外をサイクリングしている実体験感を醸し出すものである。
【００５９】
また、支持アーム２ｂの上端には操作パネル２７が設けられ、少なくとも左右一対のボタン２７ａ、２７ｂが設けられている。このボタン２７ａ、２７ｂは利用者が押し込み操作することで、実際の自転車の変速ギアに相当し、電磁クラッチ２２ｂのブレーキ負荷量を調整するための後述するギア段数を変更することができるもので、例えばボタン２７ａを１回押下する毎にギア段数が変更されて電磁クラッチ２２ｂのブレーキ負荷量が重くなり、もう一方のボタン２７ｂを１回押下する毎にギア段数が変更されて電磁クラッチ２２ｂのブレーキ負荷量が軽くなるようになっている。
【００６０】
また、モニタ２４の近傍適所には、リストバンド８に埋め込まれたＩＣチップ７に格納されたＩＣチップＩＤを読み出すＩＣチップリーダ２８ａ、脈拍センサ２９のリード線の先端部を差し込む差込口２９ａが設けられている。ＩＣチップリーダ２８ａは、所定の領域内（例えば、ＩＣチップリーダ２８ａからの距離が３０ｃｍ以下の範囲内）に存在するＩＣチップ７に格納されたＩＣチップＩＤを非接触式に読み出すものである。脈拍センサ２９は利用者の脈拍を検出するもので、拡大図に示すように例えば耳たぶを挟むためのクリップ部２９ｂを有し、耳たぶを挟んだ状態で血流量の変化を光学的に、すなわち透過光量のレベル変化から検出するものである。
【００６１】
サイクリングマシンの適所には、各部からの検出信号や、各部への制御信号を出力するマイクロコンピュータなどで構成される制御部２０２（図１１参照）が配設されている。なお、制御部２０２は、各運動機器に付設されず、別設された態様としてもよい。
【００６２】
図１１は、運動機器２の一例としてのサイクリングマシンのハードウェア構成図である。制御部２０２はサイクリングマシンの全体の動作を制御するもので、情報処理部（ＣＰＵ）２０３と、処理途中の情報を一時的に格納するＲＡＭ２０４と、所定の画像情報、制御プログラム等が予め記憶されたＲＯＭ２０５とを備える。ＣＰＵ２０３は、ペダル１１ｂの回転速度（模擬サイクリングマシンの走行速度）を計算し、脈拍センサ２９での検出信号から１分間当たりの脈拍数を算出し、求めた速度と脈拍数、運動データ管理用サーバ装置４から受信した身体データから単位時間当たりの消費カロリーを求め、求めた単位時間当たりの消費カロリーを運動時間で累積することで、運動開始から現時点までの消費カロリーを算出する機能を備える。なお、ＲＯＭ２０５のうち、運動内容等が変更されることにより影響を受ける例えば制御プログラムを少なくとも装着脱式の外部記録媒体に記憶する態様とすることも可能である。バスＢＡ２はデータ伝送路である。
【００６３】
外部入出力制御部２６１は、制御部２０２と、アクチュエータ｛つまり送風ファン２６のファンモータ２６ａ、電磁クラッチ２２ｂ｝および検出部｛つまり回転センサ２１ｃ、タッチパネル２４ａ、操作パネル２７、ＩＣチップ７用のＩＣチップリーダ２８ａ、脈拍センサ２９｝との間で、検出信号を処理用のデジタル信号に変換し、また指令情報をアクチュエータ用の制御信号に変換して出力するもので、かかる信号処理と入出力処理とを例えば時分割的に行なうものである。外部機器制御部２６２はそれぞれの時分割期間内に各アクチュエータへの制御信号の出力動作と、各検出部からの検出信号の入力動作とを行なうものである。なお、上記検出部のタッチパネル２４ａは、指の押圧操作でオンオフされる複数の押圧操作部を有するもので、モニタ２４の画面に設けられている。
【００６４】
描画処理部２４１は制御部２０２からの画像表示指示に従って所要の画像をモニタ２４に表示させるもので、ビデオＲＡＭ等を備える。音声再生部２５１は制御部２０２からの指示に従って所定のメッセージやＢＧＭ等をスピーカ２５に出力するものである。
【００６５】
ＲＯＭ２０５には、各種のキャラクタの画像、各種背景画像、各種画面の画像並びに各種メッセージがスーパーインポーズ可能な態様で記憶されている。キャラクタ及び背景画像は３次元描画が可能なように、それらを構成する所要数のポリゴンで構成されており、描画処理部２４１はＣＰＵ２０３からの描画指示に基づいて、主に視点位置計算（本実施形態では、カメラの高さ、方向の変更等）、該視点位置に対する３次元空間上における計算、３次元空間上での位置から擬似３次元空間上での位置への変換のための計算、光源計算処理を行なうと共に、上記計算結果に基づいてビデオＲＡＭに対して描画すべき画像データの書き込み処理、例えば、ポリゴンで指定されるビデオＲＡＭのエリアに対するテクスチャデータの書き込み（貼り付け）処理を行なう。
【００６６】
ここでＣＰＵ２０３の動作と描画処理部２４１の動作との関係を説明する。ＣＰＵ２０３は、内蔵のあるいは外部からの装着脱式としてのＲＯＭ２０５に記録されているオペレーティングシステムに基づいて、ＲＯＭ２０５から画像、音声及び制御プログラムデータ、ゲームプログラムを読み出す。読み出された画像、音声及び制御プログラムデータ等の一部若しくは全部は、ＲＡＭ２０４上に保持される。以降、ＣＰＵ２０３は、ＲＡＭ２０４上に記憶されている制御プログラム、データ（表示物体のポリゴンやテクスチャー等その他の文字画像を含む画像データ、音声データ）、並びに検出部からの検出信号、利用者からの操作を経て指示する内容に基いて、処理が進行される。すなわち、ＣＰＵ２０３は、検出信号、利用者から指示される内容に基いて、適宜、描画や音声出力のためのタスクとしてのコマンドを生成する。描画処理部２４１は、上記コマンドに基づいて、視点位置の計算、視点位置に対する３次元空間上（勿論、２次元空間上においても同様である）におけるキャラクタの位置等の計算、光源計算等、音声データの生成、加工処理を行なう。続いて、上記計算結果に基づいて、ビデオＲＡＭに描画すべき画像データの書き込み処理等を行なう。ビデオＲＡＭに書き込まれた画像データは、（インターフェースを介してＤ／Ａコンバータに供給されてアナログ映像信号にされた後に）モニタ２４に供給され、その画面上に画像として表示される。一方、音声再生部２５１から出力された音声データは、（インターフェースを介してＤ／Ａコンバータに供給されてアナログ音声信号に変換された後に、アンプを介して）スピーカ２５から音声として出力される。
【００６７】
ＲＯＭ２０５に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体としてのＲＯＭ２０５は、例えばハードディスク、光ディスク、フレキシブルディスク、ＣＤ、ＤＶＤ、半導体メモリ等である。
【００６８】
ネットワーク通信部２０７は、トレーニング開始前に、ＩＣチップリーダ２８ａによって読み込まれたＩＣチップＩＤ及び当該運動機器２の使用が開始された旨の情報である運動機器使用開始情報を運動機器の識別情報と対応付けて運動データ管理用サーバ装置４に送信し、運動データ管理用サーバ装置４からの個人認証の判定結果を受信して個人認証を行なうと共に、消費カロリーの計算に必要な身体データを運動データ管理用サーバ装置４から受信し、トレーニングが終了した時点で、消費カロリー等のトレーニング履歴の情報及び当該運動機器２の使用が終了された旨の情報である運動機器使用終了情報を運動機器の識別情報と対応付けて運動データ管理用サーバ装置４に送信するものである。
【００６９】
図１２は、本発明の運動データ管理用サーバ装置４のハードウェア構成図の一例である。制御部４６は運動データ管理用サーバ装置４の全体の動作を制御するもので、情報処理部（ＣＰＵ）４６１と、処理途中の情報を一時的に格納するＲＡＭ４６２と、本発明の運動データ管理プログラム、制御プログラム等が予め記憶されたＲＯＭ４６３とを備える。なお、ＲＯＭ４６３のうち、運動内容等が変更されることにより影響を受ける例えば制御プログラムを少なくとも装着脱式の外部記録媒体に記憶する態様とすることも可能である。バスＢＡ４はデータ伝送路である。
【００７０】
外部入出力制御部４８１は、制御部４６と、検出部（すなわち歩数計１、運動機器２、スタジオゲート３、ＩＤカードリーダ４１、ＩＣチップリーダ４２）との間で、信号の授受処理を例えば時分割的に行わせるものである。外部機器制御部４８２はそれぞれの時分割期間内の一方で所要の検出部に情報要求や設定指示を行わせるものである。
【００７１】
ＲＯＭ４６３に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、ＲＯＭ４６３は、例えばハードディスク、光ディスク、フレキシブルディスク、ＣＤ、ＤＶＤ、半導体メモリ等である。
【００７２】
ネットワーク通信部４８は、クライアント端末装置５からのデータ送信要求に基づいて、対応するデータをクライアント端末装置５に送信すると共に、クライアント端末装置５からのデータ格納要求に基づいて、対応するデータを受信しＲＡＭ４６２の対応する記憶部に格納するためのものである。
【００７３】
図１３は、運動データ管理用サーバ装置４の制御部４６の機能構成図の一例である。ＣＰＵ４６１は、歩数計１から利用者の識別情報と歩数データとを受信する歩数計データ受信部４６１１と、各運動機器２から利用者の識別情報と第２運動データとを受信する運動機器データ受信部４６１２と、歩数計１からの歩数データ及び各運動機器２からの第２運動データを用いて利用者毎の消費カロリーの総計である総消費カロリーを求める総消費カロリー計算部４６１３と、利用者毎に目標総消費カロリーと総消費カロリーとの差である残消費カロリーを算出する残消費カロリー算出部４６１４と、記残消費カロリーを利用者に認識可能に報知する報知部４６１５と、スタジオの利用者の識別情報、スタジオへの入室年月日時刻を受信する時刻データ受信部４６１６と、時刻データ受信部４６１６によって受信された入室年月日時刻と後述するスケジュール記憶部４６２３（第１の記憶手段）とを参照して、利用者がスタジオ内で行なった運動種目を判定する運動種目判定部４６１７と、クライアント端末装置５からの情報を受信して利用者の識別情報と体重及び身長を含む身体データとを受け付ける身体データ受付部４６１８と、クライアント端末装置５からの情報を受信して利用者の識別情報と運動データとを後述する運動データ記憶部４６２２に格納する運動データ入力部４６１９と、運動機器２毎に使用中であるか否かを監視する使用状況監視部４６２０とを備えている。
【００７４】
歩数計データ受信部４６１１は、図１２に示す外部入出力制御部４８１及び外部機器制御部４８２を介して歩数計１から利用者の識別情報であるユーザーＩＤと年月日時間毎の歩数、走数等の歩数データとを受信して、後述する運動データ記憶部４６２２に歩数データをユーザーＩＤ及び年月日時間と対応付けて格納するものである。
【００７５】
運動機器データ受信部４６１２は、図１２に示す外部入出力制御部４８１及び外部機器制御部４８２を介して各運動機器２から運動機器２の識別情報、利用者の識別情報であるＩＣチップＩＤ及び消費カロリーを含む第２運動データを受信し、受信したＩＣチップＩＤから後述する入館者データ記憶部４６２７を参照してこのＩＣチップＩＤに対応するユーザーＩＤを読み出して、後述する運動データ記憶部４６２２に第２運動データをユーザーＩＤ及び運動機器２の識別情報と対応付けて格納するものである。
【００７６】
総消費カロリー計算部４６１３（運動データ取得手段）は、歩数計１からの歩数データ及び各運動機器２からの第２運動データを用いて利用者毎の消費カロリーの総計である総消費カロリーを求め、ユーザーＩＤ及び年月日情報と対応付けて後述する運動データ記憶部４６２２に格納するものである。なお、総消費カロリー計算部４６１３は、運動機器２からの第２運動データを用いて消費カロリーを算出する際には、必要に応じて後述する身体データ記憶部４６２４に格納されている身体データを参照するものである。更に、総消費カロリー計算部４６１３は、運動種目判定部４６１７によって判定された運動種目に対応する消費カロリーを、後述するスケジュール記憶部４６２３に格納されている消費カロリー関連データと身体データ記憶部４６２４に格納されている身体データとを参照して算出し、運動データ記憶部４６２２に格納すると共に、総消費カロリーに加算するものである。加えて、総消費カロリー計算部４６１３は、運動データ入力部４６１９によって受信された運動データから後述する身体データ記憶部４６２４に格納されている身体データを参照して消費カロリーを算出し、運動データ記憶部４６２２に格納すると共に、総消費カロリーに加算するものである。
【００７７】
残消費カロリー算出部４６１４は、利用者毎及び年月日毎に予め設定され後述する運動データ記憶部４６２２に格納されている目標総消費カロリーと総消費カロリー計算部４６１３によって算出された総消費カロリーとの差である残消費カロリーを算出し、後述する運動データ記憶部４６２２にユーザーＩＤ及び年月日情報と対応付けて格納するものである。また、残消費カロリー算出部４６１４は、後述する使用中運動機器記憶部４６２５に格納された情報に基づいて現在不使用中である運動機器２を抽出し、抽出された運動機器２に残消費カロリーを分配するものであって、後述する運動データ記憶部４６２２に予め格納された利用者の識別情報毎及び年月日毎に設定された運動機器２毎の予定消費カロリーに基づいて残消費カロリーを各運動機器２に分配するものである。ここでは、現在不使用中である運動機器２であって、且つ、運動機器２毎の残消費カロリー（＝（予定消費カロリー）−（既消費カロリー））が所定値（例えば１００Ｋｃａｌ）以上の運動機器２に、残消費カロリーを運動機器２毎の残消費カロリーに比例して配分するものである。
【００７８】
単に、予定消費カロリーに比例して残消費カロリーを各運動機器２に分配する場合には、運動機器２毎の残消費カロリーを消費するために必要な最小限の運動では実質的な運動とならない（運動を開始しても、すぐに残消費カロリーを消費してしまう）運動機器２が発生する可能性があるという問題が有る。上述のように、運動機器２毎の残消費カロリーが所定値以上の運動機器２に残消費カロリーを配分することによって、この問題が解消される。
【００７９】
報知部４６１５は、クライアント端末装置５からの要求に応じて運動データ記憶部４６２２に格納された利用者毎及び年月日毎に対応する残消費カロリーを読み出して、クライアント端末装置５に送信するものである。また、残消費カロリー算出部４６１４によって求められた、運動機器毎に配分された残消費カロリーをクライアント端末装置５に送信するものである。後述するようにクライアント端末装置５は、残消費カロリー及び運動機器毎に配分された残消費カロリーを受信してモニタ５１に表示することによって利用者に残消費カロリー及び運動機器毎に配分された残消費カロリーを報知するものである。
【００８０】
時刻データ受信部４６１６（サーバ側通信部）は、図８に示す外部入出力制御部４８１及び外部機器制御部４８２を介して、スタジオゲート３のＩＣチップリーダ３１からスタジオの利用者の識別情報であるＩＣチップＩＤと、ゲート番号とスタジオへの入室年月日時刻とを受信するものである。
【００８１】
運動種目判定部４６１７は、時刻データ受信部４６１６によって受信されたゲート番号、スタジオへの入室年月日時刻に基づいて後述するスケジュール記憶部４６２３を参照して、利用者がスタジオ内で行なった運動種目を判定するものである。なお、運動種目判定部４６１７は、時刻データ受信部４６１６によって受信されたＩＣチップＩＤから、入館者データ記憶部４６２７を参照して対応するユーザーＩＤを検索し、このユーザーＩＤと対応付けて後述する運動データ記憶部４６２２に運動種目を格納するものである。
【００８２】
身体データ受付部４６１８は、クライアント端末装置５からの情報を受信して利用者の識別情報であるＩＣチップＩＤと体重及び身長等を含む身体データとを受け付けて、後述する入館者データ記憶部４６２７を参照して受け付けられたＩＣチップＩＤに対応するユーザーＩＤを読出し、後述する身体データ記憶部４６２４にユーザーＩＤと対応付けて身体データを格納するものである。
【００８３】
運動データ入力部４６１９は、クライアント端末装置５からの情報（ＩＣチップＩＤと運動データ）を受信して、後述する入館者データ記憶部４６２７を参照して受信されたＩＣチップＩＤに対応するユーザーＩＤを読み出し、利用者の識別情報であるユーザーＩＤと運動データとを後述する運動データ記憶部４６２２に格納するものである。
【００８４】
使用状況監視部４６２０は、運動機器２毎に使用状況（使用開始及び終了）に関するデータを受信し、各運動機器２が使用中であるか否かを監視すると共に、使用中であるか否かを後述する使用中運動機器記憶部４６２５に格納するものである。また、使用状況監視部４６２０は、クライアント端末装置５から、運動機器の使用状況を送信する旨の要求を受信した場合に、使用中運動機器記憶部４６２５から運動機器の使用状況を読み出して、クライアント端末装置５に送信するものである。
【００８５】
ＲＡＭ４６２は、会員データを格納する会員データ記憶部４６２１と、会員の運動データを格納する運動データ記憶部４６２２と、スタジオで行なわれる運動種目含むスケジュールデータ及び運動種目に対応する消費カロリー関連データを格納するスケジュール記憶部４６２３（第１の記憶手段、第２の記憶手段）と、会員の身体データを格納する身体データ記憶部４６２４（第３の記憶手段）と、各運動機器２が使用中であるか否かを格納する使用中運動機器記憶部４６２５と、各種メッセージを格納するメッセージ記憶部４６２６と、入館者のデータを格納する入館者データ記憶部４６２７とを備えている。
【００８６】
会員データ記憶部４６２１は、ユーザーＩＤと対応付けて氏名、生年月日等の個人情報及び過去の運動履歴データを格納するものである。
【００８７】
運動データ記憶部４６２２は、ユーザーＩＤと対応付けて、各運動機器２からの消費カロリーを含む第２運動データを運動機器２の識別情報と対応付けて格納すると共に、総消費カロリー計算部４６１３によって算出されたスタジオでの消費カロリーを含む運動データを運動種目の識別情報と対応付けて格納するものである。また、運動データ記憶部４６２２は、ユーザーＩＤと対応付けて、歩数計１からの消費カロリーを含む歩数データ及び歩数データの更新年月日を格納するものである。更に、運動データ記憶部４６２２は、ユーザーＩＤと対応付けて、予め設定された年月日毎の目標消費カロリー、総消費カロリー計算部４６１３によって算出された年月日毎の総消費カロリー及び残消費カロリー算出部４６１４によって算出された年月日毎の残消費カロリーを格納するものである。
【００８８】
ここで、上記目標消費カロリーのデータ入力については、例えばクライアント端末装置５から利用者が入力するようにしてもよい。また、利用者がインストラクタ等と面談または診断を受けた結果、決定された目標データを別途図示しないサーバに蓄積しておき、ＣＰＵ４６１がそのデータを読み出して上記運動データ記憶部４６２２に格納するようにしてもよい。その他の形態として、ＣＰＵ４６１が所定の計算式に基づいて利用者の身体情報（年齢、性別、身長、体重、体脂肪率等）から目標消費カロリーを算出して、上記運動データ記憶部４６２２に格納するようにしてもよい。
【００８９】
スケジュール記憶部４６２３は、ゲート番号、日付及び時間帯に対応してフィットネスクラブ内に配設されたゲート番号に対応するスタジオ毎に、スタジオで行われる運動種目（例えば、エアロビクス、ヨガ、太極拳等）を格納するものである。また、スケジュール記憶部４６２３には、運動種目毎に対応して設定された運動強度パラメータが格納されている。この運動強度パラメータは、運動に対する負荷度合いを設定するもので、例えば０〜１００％で設定される。この例では、初心者用エアロビクスが５０％、中級者用エアロビクスが７０％、ダンスが６０％などである。更に、他の態様として、スケジュール記憶部４６２３は、運動種目毎に、標準的な体重の利用者がその運動種目を行なった場合の単位時間当たりの消費カロリーである標準消費カロリーを格納するものである。
【００９０】
身体データ記憶部４６２４は、身体データ受付部４６１８によってクライアント端末装置５から受け付けられた体重及び身長等を含む身体データを、ユーザーＩＤに対応付けて格納するものである。また、身体データ記憶部４６２４には、利用者の運動能力が、例えば最大酸素摂取量（ＶＯ２ＭＡＸ）として格納されている。最大酸素摂取量とは、運動強度１００％で単位時間当たりに酸素を消費する能力をいう。この最大酸素摂取量は、入会する際に、あるいはその後の適宜な時点で公知の測定器を用いて計測され、登録されるものである。なお、未測定の利用者に対応するために、標準値としてのデフォルト値が設定され、格納される。
【００９１】
使用中運動機器記憶部４６２５は、使用状況監視部４６２０によって得られた各運動機器２が使用中であるか否かの情報を各運動機器２の識別情報と対応付けて格納するものである。
【００９２】
メッセージ記憶部４６２６は、クライアント端末装置５へ送信する各種メッセージを格納するものである。
【００９３】
入館者データ記憶部４６２７は、ＩＣチップＩＤに対応付けてユーザーＩＤを格納するものである。
【００９４】
図１４は、クライアント端末装置５のハードウェア構成図の一例である。制御部５６はクライアント端末装置５の全体の動作を制御するもので、情報処理部（ＣＰＵ）５６１と、処理途中の情報を一時的に格納するＲＡＭ５６２と、後述する所定の画像情報、制御プログラム等が予め記憶されたＲＯＭ５６３とを備える。バスＢＡ５はデータ伝送路である。ＲＯＭ５６３には、後述する各種画面の画像並びに各種メッセージがスーパーインポーズ可能な態様で記憶されている。
【００９５】
外部入出力制御部５８１は、制御部５６と、検出部｛タッチパネル５１ａ、ＩＣチップ７用のＩＣチップリーダ５３｝との間で、検出信号を処理用のデジタル信号に変換するもので、かかる信号処理と入出力処理とを例えば時分割的に行なうものである。外部機器制御部５８２はそれぞれの時分割期間内に各検出部からの検出信号の入力動作を行なうものである。なお、上記検出部のタッチパネル２４ａは、指の押圧操作でオンオフされる複数の押圧操作部を有するもので、モニタ５１の画面に設けられている。
【００９６】
描画処理部５１１は制御部５６からの画像表示指示に従って所要の画像をモニタ５１に表示させるもので、ビデオＲＡＭ等を備える。音声再生部５２１は制御部５６からの指示に従って所定のメッセージやＢＧＭ等をスピーカ５２に出力するものである。
【００９７】
ここでＣＰＵ５６１の動作と描画処理部５１１の動作との関係を説明する。ＣＰＵ５６１は、内蔵のあるいは外部からの装着脱式としてのＲＯＭ５６３に記録されているオペレーティングシステムに基づいて、ＲＯＭ５６３から画像、音声及び制御プログラムデータを読み出す。読み出された画像、音声及び制御プログラムデータ等の一部若しくは全部は、ＲＡＭ５６２上に保持される。以降、ＣＰＵ５６１は、ＲＡＭ５６２上に記憶されている制御プログラム、データ（文字画像を含む画像データ、音声データ）、並びに検出部からの検出信号、利用者からの操作を経て指示する内容に基いて、処理が進行される。すなわち、ＣＰＵ５６１は、検出信号、利用者から指示される内容に基いて、適宜、描画や音声出力のためのタスクとしてのコマンドを生成する。描画処理部５１１は、上記コマンドに基づいて、画像データの生成、音声データの生成、加工処理を行なう。続いて、上記処理結果に基づいて、ビデオＲＡＭに描画すべき画像データの書き込み処理等を行なう。ビデオＲＡＭに書き込まれた画像データは、（インターフェースを介してＤ／Ａコンバータに供給されてアナログ映像信号にされた後に）モニタ５１に供給され、その画面上に画像として表示される。一方、音声再生部５２１から出力された音声データは、（インターフェースを介してＤ／Ａコンバータに供給されてアナログ音声信号に変換された後に、アンプを介して）スピーカ５２から音声として出力される。
【００９８】
ＲＯＭ５６３に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、ＲＯＭ５６３は、例えばハードディスク、光ディスク、フレキシブルディスク、ＣＤ、ＤＶＤ、半導体メモリ等である。
【００９９】
ネットワーク通信部５８は、運動データ管理用サーバ装置４に対してデータ送信要求を送信し、対応するデータを運動データ管理用サーバ装置４から受信すると共に、運動データ管理用サーバ装置４に対してデータ格納要求を送信するものである。このデータ格納要求に基づいて運動データ管理用サーバ装置４は対応するデータを受信しＲＡＭ４６２の対応する記憶部に格納するものである。
【０１００】
図１５は、クライアント端末装置５の制御部５６の機能構成図の一例である。制御部５６のＣＰＵ５６１は、ＩＣチップＩＤによって個人認証を行なう個人認証部５６１１と、消費カロリーをモニタ５１に表示する消費カロリー表示部５６１２と、身体データの入力を受け付ける身体データ受付部５６１３と、身体データをモニタ５１に表示する身体データ表示部５６１４と、運動データを受け付ける運動データ受付部５６１５とを備えている。
【０１０１】
個人認証部５６１１は、ＩＣチップリーダ５３からのＩＣチップＩＤを受け付けて運動データ管理用サーバ装置４に送信し、運動データ管理用サーバ装置４によって会員データ記憶部４６２１を参照して個人認証が行なわれ、その結果を受信することによって個人認証を行なうものである。
【０１０２】
消費カロリー表示部５６１２は、個人認証部５６１１によって個人認証が行なわれた利用者のユーザーＩＤに対応する運動機器２、スタジオ、歩数計１等毎の消費カロリー、総消費カロリー等のデータを運動データ管理用サーバ装置４の運動データ記憶部４６２２から読み込み、図３５に示す運動データ表示画面をモニタ５１に表示するものである。
【０１０３】
身体データ受付部５６１３は、図３０に示す身体データ入力画面をモニタ５１に表示し、タッチパネル５１ａからの身体データの入力を受け付け、受け付けた身体データをユーザーＩＤと対応付けて運動データ管理用サーバ装置４に送信するものである。なお、運動データ管理用サーバ装置４に受信された身体データは、身体データ受付部４６１８によって、身体データ記憶部４６２４の受信されたユーザーＩＤに対応する領域に格納される。
【０１０４】
ここでは、身体データ受付部５６１３が、タッチパネル５１ａからの身体データの入力を受け付ける場合について説明するが、運動データ管理システムが、クライアント端末装置５に通信可能に接続され、身体データを計測する身体計測装置（図示省略）を備え、身体データ受付部５６１３が、身体計測装置による得られた身体データを受信し、ユーザーＩＤと対応付けて運動データ管理用サーバ装置４に送信する形態でもよい。例えば、身体計測装置が体重計である場合には、体重計によって身体データとして体重データが得られ、体重データがユーザーＩＤと対応付けて運動データ管理用サーバ装置４に送信される。
【０１０５】
身体データ表示部５６１４は、利用者のユーザーＩＤに対応する身体データの送信要求を運動データ管理用サーバ装置４に送信し、この送信要求に対して運動データ管理用サーバ装置４から身体データを受信し、図３１に示す身体データ表示画面をモニタ５１に表示するものである。
【０１０６】
運動データ受付部５６１５は、何らかの事情によって個人認証が成立しなかった場合や運動機器２等からの第２運動データが運動データ管理用サーバ装置４に送信できなかった場合に、後述する運動データ入力画面をモニタ５１に表示して利用者のタッチパネル５１ａからの操作を受け付けて運動データを運動データ管理用サーバ装置４に送信するものである。なお、運動データ管理用サーバ装置４の運動データ入力部４６１９によって、運動データ受付部５６１５から受信した運動データは運動データ記憶部４６２２に格納される。
【０１０７】
次に、運動データ管理用サーバ装置４の動作について図１６〜図２６に示すフローチャートを用いて説明する。ただし、ここでは、利用者の入会手続きは完了しており、ＩＤカード６が発行されているものとする。図１６は、運動データ管理用サーバ装置４の動作の概要を示すフローチャートの一例である。まず、ネットワーク通信部４８及び外部機器制御部４８２に接続されたクライアント端末装置５、歩数計１、運動機器２、スタジオゲート３、ＩＤカードリーダ４１、ＩＣチップリーダ４２のいずれかからパケットが受信されたか否かの判定が行われる（ステップＳＴ１）。パケットが受信されていないと判定された場合には、パケットが受信されるまで待機状態となる。パケットが受信されたと判定された場合には、受信されたデータに基づいてパケットの種類が判別される（ステップＳＴ２）。そして、パケットの種類に応じて、ユーザーチェックイン処理（ステップＳＴ３）、ユーザーチェックアウト処理（ステップＳＴ４）、運動機器ユーザー認証処理（ステップＳＴ５）、運動実績登録処理（ステップＳＴ６）、歩数計実績登録処理（ステップＳＴ７）、運動機器使用状況監視処理（ステップＳＴ８）、運動機器使用状況送信処理（ステップＳＴ９）、アドバイス生成処理（ステップＳＴ１０）がそれぞれ行なわれ、各処理が終了すると、ステップＳＴ１に戻り、上記の処理が繰り返される。
【０１０８】
図１７は、図１６に示すフローチャートのステップＳＴ３で行なわれるユーザーチェックイン処理の詳細フローチャートの一例である。ここでは、利用者は、入館時に入館者データ記憶部４６２７にＩＣチップＩＤが登録され、同じＩＣチップＩＤがリストバンド８に書き込まれ、これが当該利用者に手渡されている。
【０１０９】
まず、ＩＤカードリーダ４１及びＩＣチップリーダ４２からそれぞれユーザーＩＤ及びＩＣチップＩＤが読み込まれる（ステップＳＴ３０１）。そして、読み込まれたユーザーＩＤと一致するユーザーＩＤが会員データ記憶部４６２１に格納されているかの検索が行なわれる（ステップＳＴ３０３）。次に、この検索で一致するユーザーＩＤが見つかったか否かの判定が行なわれる（ステップＳＴ３０５）。一致するユーザーＩＤが見つからない場合には、エラー情報を格納するエラーログに記録され（ステップＳＴ３１１）処理が終了される。一致するユーザーＩＤが見つかった場合には、会員データ記憶部４６２１に格納されている会員情報の中から、このユーザーＩＤに対応する会員情報及び運動履歴が抽出されると共に、身体データ記憶部４６２４に格納されている身体データの中から、このユーザーＩＤに対応する身体データが抽出され、後述する入館者用ワークメモリに格納される（ステップＳＴ３０７）。そして、ＩＣチップＩＤがユーザーＩＤと対応付けられて、入館者データ記憶部４６２７に格納され（ステップＳＴ３０９）、処理が終了される。
【０１１０】
ここで、入館者用ワークメモリは、ＲＡＭ４６２に設けられており（図１３の機能構成図においては、便宜上、図示を省略している）、入館している会員のユーザーＩＤに対応付けて会員情報及び身体データを格納するものである。なお、入館している会員の会員情報は、ＣＰＵ４６１によって、会員データ記憶部４６２１に格納されている会員情報の中から、入館している会員のユーザーＩＤに対応する会員情報が抽出され、入館者用ワークメモリに格納される。また、ＣＰＵ４６１によって、身体データ記憶部４６２４に格納されている身体データの中から、入館している会員のユーザーＩＤに対応する身体データが抽出され、入館者用ワークメモリに格納される。
【０１１１】
上述のように、ＩＣチップＩＤがユーザーＩＤと対応付けられて、入館者データ記憶部４６２７に格納されるため、後述するユーザーチェックアウト処理、運動機器ユーザー認証処理等における個人認証に際に検索する対象者の数が、会員データ記憶部４６２１に格納されている全会員の中から検索する場合には、全会員の数となるのに対して、現在入館している（入館者データ記憶部４６２７に格納されている）会員の数となり、大幅に減少される。そこで、個人認証に必要な検索のＣＰＵ負荷が抑制され、処理速度が向上される。
【０１１２】
ここでは、ＲＡＭ４６２に入館者データ記憶部４６２７と入館者用ワークメモリとが設けられている場合について説明するが、入館者データ記憶部４６２７にＩＣチップＩＤをユーザーＩＤと対応付けて格納し、入館者データ記憶部４６２７が入館者用ワークメモリの機能を有する形態（ＲＡＭ４６２が入館者用ワークメモリを備えない形態）でもよい。ただし、この場合には、個人認証に際に行なうＩＣチップＩＤの検索に要するＣＰＵ負荷が増加し、処理速度が低下する。
【０１１３】
図１８は、図１６に示すフローチャートのステップＳＴ４で行なわれるユーザーチェックアウト処理の詳細フローチャートの一例である。まず、ＩＣチップリーダ４２からＩＣチップＩＤが読み込まれる（ステップＳＴ４０１）。そして、読み込まれたＩＣチップＩＤと一致するＩＣチップＩＤが入館者データ記憶部４６２７に格納されているかの検索が行なわれる（ステップＳＴ４０５）。次に、この検索で一致するＩＣチップＩＤが見つかったか否かの判定が行なわれる（ステップＳＴ４０７）。一致するＩＣチップＩＤが見つからない場合には、エラーログに記録され（ステップＳＴ４１３）処理が終了される。一致するＩＣチップＩＤが見つかった場合には、このＩＣチップＩＤに対応するユーザーＩＤ及びこのユーザーＩＤに対応するユーザー情報等が入館者用ワークメモリから消去される（ステップＳＴ４０９）。そして、このＩＣチップＩＤ及びユーザーＩＤが入館者データ記憶部４６２７から消去され（ステップＳＴ４１１）、処理が終了される。
【０１１４】
図１９は、図１６に示すフローチャートのステップＳＴ５で行なわれる運動機器ユーザー認証処理の詳細フローチャートの一例である。ただし、ここで説明する運動機器ユーザー認証処理は、運動機器２又はスタジオゲート３からの情報に基づきユーザー認証を行なうものである。まず、運動機器２又はスタジオゲート３（ここでは、便宜上、送信端末という）のＩＣチップリーダ２８ａ、３１からＩＣチップＩＤが読み込まれる（ステップＳＴ５０１）。そして、読み込まれたＩＣチップＩＤと一致するＩＣチップＩＤが会員データ記憶部４６２１に格納されているか否かの判定が行なわれる（ステップＳＴ５０５）。一致するＩＣチップＩＤが格納されていないと判定された場合には、一致するＩＣチップＩＤが格納されていない旨のエラーコードが送信端末に返信され（ステップＳＴ５０９）、エラーログに記録されて（ステップＳＴ５１１）、処理が終了される。ステップＳＴ５０５において、一致するＩＣチップＩＤが格納されていると判定された場合には、ＩＣチップＩＤに対応するユーザーＩＤと個人認証が完了した旨である受信確認信号が送信端末に返信され（ステップＳＴ５０７）、処理が終了される。
【０１１５】
図２０は、図１６に示すフローチャートのステップＳＴ６で行なわれる運動実績登録処理の詳細フローチャートの一例である。ただし、ここで説明する運動実績登録処理は、運動機器２又はスタジオゲート３（ここでは、便宜上、送信端末という）からの情報に基づき運動実績データの登録（運動データの運動データ記憶部４６２２への格納）を行なうものである。ここでは、図１９で説明した運動機器ユーザー認証処理によって個人認証が完了している場合について説明する。なお、運動実績登録処理は、運動機器データ受信部４６１２、運動種目判定部４６１７、総消費カロリー計算部４６１３等によって行なわれる。まず、送信端末から受信された識別情報に基づいて送信端末が運動機器２及びスタジオゲート３のいずれであるかの判定が行われる（ステップＳＴ６０５）。
【０１１６】
送信端末がスタジオゲート３であると判定された場合には、図２１に示すスタジオ利用処理が行なわれ、スタジオでの消費カロリーが算出され（ステップＳＴ６０７）、ステップＳＴ６１１に進む。送信端末が運動機器２であると判定された場合には、必要に応じて身体データ記憶部４６２４に格納された身体データが参照されて消費カロリーを求める（または修正する）運動機器利用処理が行なわれる。ステップＳＴ６０７又はステップＳＴ６０９の処理が完了すると、運動データ記憶部４６２２に、運動機器２の識別情報又はスタジオでの運動種目、年月日時間、消費カロリー等の運動データが運動データ記憶部４６２２にユーザーＩＤと対応付けて格納され、総消費カロリー計算部４６１３によって、後述する歩数計１から読み込まれた消費カロリーを含む全運動種目の総消費カロリーが算出され、更に、残消費カロリー算出手段によって、予め運動データ記憶部４６２２に格納されている目標総消費カロリーと総消費カロリーとの差である残消費カロリーが算出され、総消費カロリー及び残消費カロリーが運動データ記憶部４６２２にユーザーＩＤと対応付けて格納される（ステップＳＴ６１１）。そして、運動データの運動データ記憶部４６２２への格納が成功した旨の情報が送信端末に返信され（ステップＳＴ６１５）、処理が終了される。
【０１１７】
このように、フィットネスクラブ内で歩数計１を携帯することなく利用者毎の消費カロリーの総計である総消費カロリーが求められるため、利用者の利便性が高められる。更に、運動データ記憶部４６２２に、歩数計１及び各運動機器２からの受信データが、利用者毎に送信元の機器の識別情報と対応付けて一元的に格納されているため、データの管理が容易となる。
【０１１８】
図２１は、図２０に示すフローチャートのステップＳＴ６０７で行なわれるスタジオ利用処理（カロリー計算）の詳細フローチャートの一例である。このフローチャートでは、運動種目判定部４６１７によって、受信されたゲート番号、スタジオへの入室年月日時刻に基づいてスケジュール記憶部４６２３を参照することによって、利用者がスタジオ内で行なった運動種目が判定されることで開始される。例えば、スタジオ内で行われる運動種目（エアロビクス、ダンス等）の１日のスケジュールが予め設定されているものとする。例えば、９：００から９：５０までは初心者用エアロビクス、１０：００から１０：５０までは中級者用エアロビクス、１１：００から１１：５０まではダンス、・・・といったように１日のスケジュールが定められている。そして、受信した時刻データがいずれの時間帯に属するかを判別することで時間帯の特定を行い、特定された時間帯に対応する運動種目の特定を行う。このように、受信した時刻データがスケジュールの時間帯のいずれに属するかを判定する方法を採用することで、利用者に対して、スタジオゲート３への認証操作を入室時の１回で済むようにして、利便性を図っている。
【０１１９】
まず、総消費カロリー計算部４６１３によって、スケジュール記憶部４６２３で判定された運動種目に対応する運動強度パラメータが取得され、かつ運動時間が取得される（ステップＳＴ６０７１）。そして、総消費カロリー計算部４６１３によって、身体データ記憶部４６２４に格納されている身体データから利用者のユーザーＩＤに対応する身体データの中からＶＯ２ＭＡＸが取得される（ステップＳＴ６０７３）。次いで、取得したＶＯ２ＭＡＸ運動能力、運動強度パラメータ、及び運動時間を乗算し、カロリーへの変換係数を乗じることによって、運動したものと想定された消費カロリーが算出され（ステップＳＴ６０７５）、処理が終了される。算出された消費カロリーは総消費カロリーに加算される。
【０１２０】
なお、身体データ記憶部４６２４にＶＯ２ＭＡＸが格納されていないと判定され、すなわち運動能力が未測定の利用者の場合には、標準値としてのデフォルト値が取得され、このデフォルト値を用いて、消費カロリーが算出される。
【０１２１】
このように、スタジオで利用者が行なった運動種目が判定され、その運動種目に対応する、想定された消費カロリーが算出されて総消費カロリーに加算されるため、利用者がスタジオで行なった運動も総消費カロリーに加算され、総消費カロリーがより厳密に算出され、利用者の利便性が向上される。
【０１２２】
図２２は、図２０に示すフローチャートのステップＳＴ６０７で行なわれるスタジオ利用処理（カロリー計算）の他の詳細フローチャートの一例である。まず、運動種目判定部４６１７によって、受信されたゲート番号、スタジオへの入室年月日時刻に基づいてスケジュール記憶部４６２３を参照することによって、利用者がスタジオ内で行なった運動種目が判定される（ステップＳＴ６０７１）。ここで、スタジオ内で行われる運動種目（エアロビクス、ダンス等）の１日のスケジュールが予め設定されているものとする。例えば、９：００から９：５０までは初心者用エアロビクス、１０：００から１０：５０までは中級者用エアロビクス、・・・といったように１日のスケジュールが定められている。そして、受信した時刻データがいずれの時間帯に属するかを判別することで時間帯の特定を行い、特定された時間帯に対応する運動種目の特定を行う。このように、受信した時刻データがスケジュールの時間帯のいずれに属するかを判定する方法を採用することで、利用者に対して、スタジオゲート３への認証操作を１回で済むようにして、利便性を図っている。
【０１２３】
次に、総消費カロリー計算部４６１３によって、スケジュール記憶部４６２３からステップＳＴ６０７１１で判定された運動種目に対応する標準消費カロリーが取得される（ステップＳＴ６０７１３）。そして、総消費カロリー計算部４６１３によって、身体データ記憶部４６２４に格納されている身体データから利用者のユーザーＩＤに対応する身体データの中から体重データが取得される（ステップＳＴ６０７１５）。ついで、総消費カロリー計算部４６１３によって、標準消費カロリーの設定において想定されている利用者の体重（標準体重）とステップＳＴ６０７１５において取得された利用者の体重とが比較されて、テーブルデータを参照して（または演算によって）、消費カロリーを算出するための比率が求められる（ステップＳＴ６０７１７）。そして、総消費カロリー計算部４６１３によって、この比率と標準消費カロリーとが乗算されて、運動したものと想定された消費カロリーが算出され（ステップＳＴ６０７１９）、処理が終了される。
【０１２４】
このように、スタジオで利用者が行なった運動種目が判定され、その運動種目に対応する、想定された消費カロリーが算出されて総消費カロリーに加算される（図２０のステップＳＴ６１１）ため、利用者がスタジオで行なった運動も総消費カロリーに加算され、総消費カロリーがより厳密に算出され、利用者の利便性が向上される。
【０１２５】
図２３は、図１６に示すフローチャートのステップＳＴ７で行なわれる歩数計実績登録処理の詳細フローチャートの一例である。この処理は、歩数計データ受信部４６１１によって行なわれる。まず、図１２に示す外部入出力制御部４８１及び外部機器制御部４８２を介して歩数計１からユーザーＩＤ及び歩数データが受信される（ステップＳＴ７０１）。次に、ステップＳＴ７０１が実行された年月日と、運動データ記憶部４６２２に格納されている歩数データの更新年月日とが一致するか否かの判定が行われる（ステップＳＴ７０３）。一致すると判定された場合には処理が終了される。一致しないと判定された場合には、運動データ記憶部４６２２に格納されている歩数データの更新年月日以降の歩数データが歩数計１から読み込まれる（ステップＳＴ７０５）。そして、読み込まれた歩数データが運動データ記憶部４６２２に格納され、歩数データの更新年月日がこの処理が実行された年月日に書き換えられ（ステップＳＴ７０７）、処理が終了される。
【０１２６】
図２４は、図１６に示すフローチャートのステップＳＴ８で行なわれる運動機器使用状況監視処理の詳細フローチャートの一例である。なお、この処理は、使用状況監視部４６２０によって行なわれる。まず、各運動機器２から使用開始情報（又は使用終了情報）及び運動機器識別データを受信する（ステップＳＴ８０１）。そして、受信されたデータが使用開始情報であるか否かの判定が行われる（ステップＳＴ８０３）。使用開始情報であると判定された場合には、使用中運動機器記憶部４６２５に、運動機器識別データに対応する運動機器が使用中である旨の情報が格納される（ステップＳＴ８０５）。使用開始情報ではない（すなわち、使用終了情報である）と判定された場合には、使用中運動機器記憶部４６２５に、運動機器識別データに対応する運動機器が使用中ではない旨の情報が格納される（ステップＳＴ８０７）。
【０１２７】
図２５は、図１６に示すフローチャートのステップＳＴ９で行なわれる運動機器使用状況送信処理の詳細フローチャートの一例である。なお、この処理は、使用状況監視部４６２０によって行なわれる。まず、クライアント端末装置５から、運動機器の使用状況を送信する旨の要求が受信される（ステップＳＴ９０１）。そして、上記要求に運動機器２の種類の指定が含まれているか否かの判定が行われる（ステップＳＴ９０３）。運動機器２の種類の指定が含まれている場合には、使用中運動機器記憶部４６２５に格納されている指定された種類の運動機器２の使用状況（使用中か否か）がクライアント端末装置５に送信される（ステップＳＴ９０５）。運動機器２の種類の指定が含まれていない場合には、使用中運動機器記憶部４６２５に格納されている全ての運動機器２の使用状況（使用中か否か）がクライアント端末装置５に送信される（ステップＳＴ９０５）。
【０１２８】
図２６は、図１６に示すフローチャートのステップＳＴ１０で行なわれるアドバイス生成処理の詳細フローチャートの一例である。なお、この処理は、残消費カロリー算出部４６１４によって行なわれる。まず、クライアント端末装置５から、今後の運動に関するアドバイスを送信する旨の要求が受信される（ステップＳＴ１００１）。そして、運動データ記憶部４６２２に格納されている目標総消費カロリーと総消費カロリー計算部４６１３によって算出された総消費カロリーとの差である残消費カロリーが算出され、運動データ記憶部４６２２にユーザーＩＤ及び年月日情報と対応付けて格納される（ステップＳＴ１００３）。
【０１２９】
次いで、残消費カロリーが「０」以下であるか否かの判定が行われる（ステップＳＴ１００５）。残消費カロリーが「０」以下であると判定された場合には、メッセージ記憶部４６２６から残消費カロリーに適合するメッセージが選択され、クライアント端末装置５に送信される（ステップＳＴ１００７）。残消費カロリーが「０」以下ではないと判定された場合には、使用中運動機器記憶部４６２５を参照して、不使用中の運動機器２が抽出される（ステップＳＴ１００９）。そして、運動データ記憶部４６２２に格納された運動機器毎の予定消費カロリーが読み出される（ステップＳＴ１０１１）。つぎに、運動機器毎の予定消費カロリーに基づいて残消費カロリーが各運動機器２に分配される（ステップＳＴ１０１３）。そして、メッセージ記憶部４６２６から残消費カロリーに適合するメッセージが選択され、各運動機器２に分配された残消費カロリーと共にクライアント端末装置５に送信される（ステップＳＴ１０１５）。
【０１３０】
このようにして、利用者は、残消費カロリーを消費するために使用する運動機器２として不使用中の運動機器２が選定され、指定された運動機器２を使用して即座に残消費カロリーを消費するための運動を行なうことができるため、利便性が向上される。更に、予定消費カロリーに基づいて残消費カロリーが各運動機器２に分配され、利用者は、予め計画されていた運動機器２を使用して残消費カロリーを消費するための運動を行なうことができるため、利便性が向上される。
【０１３１】
次に、クライアント端末装置５の動作について図２７〜図２９に示すフローチャートを用いて説明する。ただし、ここでは、利用者のフィットネスクラブへのチェックインは完了しており（すなわち、図１６に示すフローチャートのステップＳＴ３におけるユーザーチェックイン処理は完了しており）、ＩＣチップＩＤがクライアント端末装置５に読み込まれてクライアント端末装置５に対するユーザー認証も完了しているものとする。すなわち、クライアント端末装置５は、操作している利用者のユーザーＩＤを認識しているものとする。
【０１３２】
図２７は、クライアント端末装置５の動作の概要を示すフローチャートの一例である。まず、タッチパネル５１ａからの利用者が所望する処理を指定する処理名称情報の入力が受け付けられて、処理種別が判定される（ステップＳＴ１１）。そして、処理種別がトップメニュー表示処理と判定された場合には、図２７に示すトップメニュー表示画面がモニタ５１に表示され（ステップＳＴ１２）、処理が終了される。処理種別が身体データ入力処理と判定された場合には、身体データ受付部５６１３によって図２８に示す身体データ入力画面がモニタ５１に表示され、タッチパネル５１ａからの身体データの入力が受け付けられて、受け付けられた身体データがユーザーＩＤと対応付けて運動データ管理用サーバ装置４に送信され（ステップＳＴ１３）、処理が終了される。処理種別が身体データ表示処理と判定された場合には、身体データ表示部５６１４によって、利用者のユーザーＩＤに対応する身体データの送信要求が運動データ管理用サーバ装置４に送信され、この送信要求に対して運動データ管理用サーバ装置４から身体データが受信され、図２９に示す身体データ表示画面がモニタ５１に表示され（ステップＳＴ１４）、処理が終了される。
【０１３３】
処理種別が運動データ入力処理と判定された場合には、運動データ受付部５６１５によって、図３３〜図３５に示す運動データ入力第１画面〜運動データ入力第３画面等がモニタ５１に表示され、図２８に示す運動データ入力処理が実行され（ステップＳＴ１５）、処理が終了される。処理種別が運動結果表示処理と判定された場合には、利用者のユーザーＩＤに対応する運動データの送信要求が運動データ管理用サーバ装置４に送信され、この送信要求に対して運動データ管理用サーバ装置４から運動データが受信され、図３６に示す運動データ表示画面がモニタ５１に表示され（ステップＳＴ１６）、処理が終了される。処理種別がアドバイス表示処理と判定された場合には、利用者のユーザーＩＤに対応するアドバイスデータの送信要求が運動データ管理用サーバ装置４に送信され、この送信要求に対して運動データ管理用サーバ装置４から運動データに基づいて生成されたアドバイスデータが受信され、図３７に示すアドバイス表示画面がモニタ５１に表示され（ステップＳＴ１７）、処理が終了される。
【０１３４】
図２８は、図２７に示すフローチャートのステップＳＴ１５で行なわれる運動データ入力処理の詳細フローチャートの一例である。なお、以下の処理は、運動データ受付部５６１５によって行なわれる。まず、運動データの入力が有ったか否かの判定が行われる（ステップＳＴ１５３）。運動データの入力が無いと判定された場合には、処理が終了される。タッチパネル５１ａからの入力に基づいて運動データの入力が有ると判定された場合には、図２９に示す運動の種目毎の消費カロリー計算処理が行なわれる（ステップＳＴ１５５）。そして、ステップＳＴ１５５において計算された消費カロリー等の運動データが運動データ管理用サーバ装置４に送信され（ステップＳＴ１５７）、処理が終了される。なお、ステップＳＴ１５７において運動データ管理用サーバ装置４に送信された運動データは、運動データ入力部４６１９によって運動データ記憶部４６２２に格納される。
【０１３５】
図２９は、図２８に示すフローチャートのステップＳＴ１５５で行なわれる消費カロリー計算処理の詳細フローチャートの一例である。まず、タッチパネル５１ａからの入力に基づいて運動種目の判定が行われる（ステップＳＴ１５５１）。この判定によって、運動種目がスタジオで行なわれる運動種目であると判定された場合には、運動データ管理用サーバ装置４に対して運動種目に対応する標準消費カロリーの送信要求が送信され、スケジュール記憶部４６２３から運動種目に対応する標準消費カロリーが取得される（ステップＳＴ１５５３）。そして、運動データ管理用サーバ装置４に対してユーザーＩＤに対応する身体データの送信要求が送信され、身体データ記憶部４６２４に格納されている身体データからの中から体重データが取得される（ステップＳＴ１５５５）。ついで、標準消費カロリーの設定において想定されている利用者の体重（標準体重）とステップＳＴ１５５５において取得された利用者の体重とが比較されて、テーブルデータを参照して（または演算によって）、消費カロリーを算出するための比率が求められる（ステップＳＴ１５５７）。そして、この比率と標準消費カロリーとが乗算されて消費カロリーが算出され（ステップＳＴ１５５９）、処理が終了される。ステップＳＴ１５５１において、運動種目が運動機器２で行なわれる運動種目であると判定された場合には、運動機器２のモニタ２４に表示された消費カロリーを利用者が記憶しておき、タッチパネル５１ａからこの消費カロリーが受け付けられて（ステップＳＴ１５６９）、処理が終了される。
【０１３６】
図３０は、図２７に示すフローチャートのステップＳＴ１２で表示されるトップメニュー表示画面の画面図の一例である。トップメニュー表示画面６００には、画面左上側に、身体データを表示する場合に押下される身体データ表示ボタン６０１と、その右側に身体データを入力する場合に押下される身体データ入力ボタン６０２と、画面略中央部に運動データを表示する場合に押下される運動データ表示ボタン６０３と、その右側に運動データを入力する場合に押下される運動データ入力ボタン６０４と、画面右下側にアドバイスを表示場合に押下されるアドバイス表示ボタン６０５とが表示されている。利用者は、トップメニュー表示画面６００において、所望する処理に対応するボタンを押下することによって、処理を選択することができる。
【０１３７】
図３１は、図２７に示すフローチャートのステップＳＴ１３で表示される身体データ入力画面の画面図の一例である。身体データ入力画面６１０には、画面左側に、上側から順に、身長、体重、血圧及び体脂肪率を表示する身長表示部６１１、体重表示部６１２、血圧表示部６１３及び体脂肪率表示部６１４が表示され、各表示部６１１〜６１４の右側に運動データ管理用サーバ装置４の身体データ記憶部４６２４に格納されている各身体データが表示されると共にタッチパネル５１ａからの入力を受け付けて各身体データを変更する身長データ変更部６１１ａ、体重データ変更部６１２ａ、血圧データ変更部６１３ａ及び体脂肪率データ変更部６１４ａが表示されている。また、画面右側には、身長データ変更部６１１ａ、体重データ変更部６１２ａ、血圧データ変更部６１３ａ及び体脂肪率データ変更部６１４ａの身体データを入力する場合に押下されるテンキー６１５と、入力されたデータをキャンセルする場合に押下される取消ボタン６１６と、入力されたデータを決定する（入力されたデータは運動データ管理用サーバ装置４に送信され、身体データ受付部４６１８によって身体データ記憶部４６２４に格納される）場合に押下される決定ボタン６１７とが表示されている。なお、クライアント端末装置５に身長を測定する身長計、体重計、血圧計、体脂肪率計が接続され、各測定器によって測定された身体データが身体データ入力画面６１０に表示される形態でもよい。
【０１３８】
このように、身体データ受付部４６１８によって、利用者の識別情報と体重及び身長を含む身体データとが受け付けられ、身体データ記憶部４６２４に、身体データが利用者の識別情報と対応付けて格納され、例えば、図２２のステップＳＴ６０７１５等において、総消費カロリー計算部４６１３によって、身体データを用いて消費カロリーが算出される。従って、身体データを用いて消費カロリーが算出されるため、消費カロリーが正確に算出され、利用者の利便性が向上される。
【０１３９】
図３２は、図２７に示すフローチャートのステップＳＴ１４で表示される身体データ表示画面の画面図の一例である。身体データ表示画面６２０には、画面上側に、体重データ及び体脂肪率を表示する体重データ表示部６２１と、画面略中央部に血圧データを表示する血圧データ表示部６２２とが表示されている。体重データ表示部６２１には、右側に縦軸が体重又は体脂肪率であって横軸が月日であり体重及び体脂肪率の推移を表わす体重グラフ６２１ａ及び体脂肪率グラフ５２１ｂが表示されている。血圧データ表示部６２２には、右側に縦軸が最高血圧又は最低血圧であって横軸が月日であり最高血圧及び最低血圧の推移を表わす最高血圧グラフ６２２ａ及び最低血圧グラフ６２２ｂが表示されている。利用者は、身体データ表示画面６２０によって、身体データの推移を知ることができる。
【０１４０】
図３３は、図２７に示すフローチャートのステップＳＴ１５で表示される運動データ入力第１画面の画面図の一例である。運動データ入力第１画面６３０には、画面右側に、上側から順に、運動データを入力する種目がスタジオで行なわれる場合に押下されるスタジオボタン６３１と、運動データを入力する種目が運動機器２を用いて行なわれる場合に押下されるマシンジムボタン６３２と、運動データを入力する種目がプールで行なわれる場合に押下されるプールボタン６３３と、運動データを入力する種目がフィットネスクラブ内で行なわれるその他の種目である場合に押下されるその他ボタン６３４と、運動データを入力する種目が歩数計１に記録された種目（ここでは、歩行又は走行）である場合に押下される歩数計ボタン６３５とが表示されている。利用者は、スタジオボタン６３１、マシンジムボタン６３２、プールボタン６３３、その他ボタン６３４及び歩数計ボタン６３５のいずれかを押下することによって、運動データの入力を所望する種目の運動データの入力用の画面が表示され、運動データの入力を行なうことが可能になる。
【０１４１】
図３４は、図２７に示すフローチャートのステップＳＴ１５で表示される運動データ入力第２画面の画面図の一例である。運動データ入力第２画面６４０は、運動データ入力第１画面６３０において、スタジオボタン６３１が押下された場合に表示されるものである。運動データ入力第２画面６４０には、画面右側に、利用者がスタジオを利用した時間帯を選択する時間帯選択ボタン６４１と、画面下側に、利用者が入力を中断する場合に押下される入力完了ボタン６４２とが表示されている。ここでは、時間帯選択ボタン６４１の内、最も上側の「９：００→１３：００のプログラム」と表示されたボタンに網掛けが施され、このボタンが押下されたことを示している。
【０１４２】
図３５は、図２７に示すフローチャートのステップＳＴ１５で表示される運動データ入力第３画面の画面図の一例である。運動データ入力第３画面６５０は、運動データ入力第２画面６４０において、時間帯選択ボタン６４１の内、最も上側の「９：００→１３：００のプログラム」と表示されたボタンが押下された場合に表示される画面である。運動データ入力第３画面６５０には、画面左側に「９：００→１３：００のプログラム」に対応する種目表示部６５１が表示され、種目表示部６５１の右側には、利用者が行なった種目を選択するチェックボックス６５１ａが表示されている。ここでは、種目表示部６５１の「太極拳」の右側のチェックボックス６５１ａにチェックマークが表示され、利用者が行なった種目として「太極拳」が選択されている。図３３〜図３５の画面を用いて運動データを入力する種目（及び運動データ）の入力を行なうことができる。
【０１４３】
このように、運動機器データ受信部４６１２によって利用者の識別情報又は第２運動データが受信できない運動機器２が存在する場合、あるいは、時刻データ受信部４６１６によって、スタジオの利用者の識別情報、入室年月日時刻が受信できない場合にも、運動データ入力部４６１９によって、外部からの入力が受け付けられて（ここでは、クライアント端末装置５に入力された情報が受信されて）、利用者の識別情報と運動データとが運動データ記憶部４６２２に格納されるため、総消費カロリーにこれらの運動機器２（またはスタジオ）での消費カロリーが加味され、利用者の利便性が向上される。
【０１４４】
図３６は、図２７に示すフローチャートのステップＳＴ１６で表示される運動データ表示画面の画面図の一例である。運動データ表示画面６６０には、画面上側に、利用者が消費した総消費カロリーを表示する総消費カロリー表示部６６１と、総消費カロリー表示部６６１の下側に、フィットネスクラブ内にある施設毎に消費されたカロリーあるいは歩数計１で計測された消費カロリーを表示する消費カロリー区分表示部６６２と、消費カロリー区分表示部６６２の左側に、消費カロリー区分表示部６６２に表示された区分毎の消費カロリーが総消費カロリーに占める割合を示す円柱グラフ６６３とが表示されている。ここでは、総消費カロリーは「３５０．０Ｋｃａｌ」であり、スタジオで消費されたカロリーが「７０．０Ｋｃａｌ」であり、スタジオで消費されたカロリーが、総消費カロリーに占める割合が「２０％」であることが分かる。
【０１４５】
図３７は、図２７に示すフローチャートのステップＳＴ１７で表示されるアドバイス表示画面の画面図の一例である。アドバイス表示画面６７０には、画面上側に、利用者の１ヶ月の総消費カロリーの目標値を表示する目標値表示部６７１と、画面略中央部に、アドバイスをメッセージ形式で表示するアドバイス表示部６７２と、画面下側に、横軸が月日で縦軸が積算消費カロリーであるグラフを表示するグラフ表示部６７３とが表示されている。グラフ表示部６７３には、積算消費カロリーの目標値の推移を示す目標値グラフ６７３ａと、積算消費カロリーの実績値の推移を示す実績値グラフ６７３ｂとが表示されている。実績値グラフ６７３ｂが目標値グラフ６７３ａの下側にあり、積算消費カロリーの実績値が目標値を下回っているため、アドバイス表示画面６７０に、「体調はいかがですか?このままでは目標達成は難しいかも。目標変更をおすすめします。」とのアドバイスは表示されており、利用者は、このアドバイスを参考にして、目標変更等を行なうことができる。更に、利用者は、目標総消費カロリーと総消費カロリーとの差である残消費カロリーを知ることができるため、フィットネスクラブで消費すべき残消費カロリーを確認することができ、運動に対する目標の設定及び動機付けが行なわれる。
【０１４６】
なお、本発明は以下の形態を採用することができる。
【０１４７】
（Ａ）本実施形態においては、運動施設がスタジオである場合について説明したが、フィットネスクラブ内に配設され、日付または時間帯に対応して運動種目が行なわれる運動施設であれば、他の例えば、プール等である形態でもよい。
【０１４８】
（Ｂ）本実施形態においては、時刻データ受信部４６１６がＩＣチップＩＤ、ゲート番号、スタジオへの入室年月日時刻を受信する場合について説明したが、ＩＣチップＩＤ及びゲート番号を受信し、運動データ管理用サーバ装置４の備える時計機能を用いて入室年月日時刻を求める形態でもよい。この場合には、スタジオゲート３の時刻カウンタ３２が不要となると共に、スタジオゲート３から運動データ管理用サーバ装置４への情報の伝送量が削減される。
【０１４９】
（Ｃ）本実施形態においては、リストバンド８に埋め込まれたＩＣチップ７に格納されたＩＣチップＩＤによってフィットネスクラブ内の個人認証を行なう場合について説明したが、ＩＤカード６に格納されたユーザーＩＤによって個人認証を行なう形態でもよい。
【０１５０】
（Ｄ）本実施形態においては、スケジュール記憶部４６２３がゲート番号、日付及び時間帯に対応してフィットネスクラブ内に配設されたゲート番号に対応するスタジオ毎に、スタジオで行われる運動種目を格納する場合について説明したが、曜日及び時間帯によって運動種目が決められている場合には、スケジュール記憶部４６２３がゲート番号、曜日及び時間帯に対応してフィットネスクラブ内に配設されたゲート番号に対応するスタジオ毎に、スタジオで行われる運動種目を格納する形態でもよい。
【０１５１】
（Ｅ）本実施形態においては、スタジオゲート３が複数ある場合について説明したが、フィットネスクラブによってスタジオが１つのみのケースもあり、このような場合においても本発明は適用できる。すなわち、複数のスタジオのそれぞれにスタジオゲートを配置し、スタジオゲートの個々を識別するための情報をゲート番号記憶部３３に格納した態様ではなく、１つのみのスタジオに対してスタジオゲートを１つ準備するような態様でもよい。この場合には、ゲート番号記憶部３３は必ずしも必要ではない。すなわち、ゲート番号を設定するための図４のスイッチ３６０を設けなくてもよい。また、時刻データ受信部４６１６は、ゲート番号を受信する必要がない。
【０１５２】
（Ｆ）本実施形態においては、総消費カロリー計算部４６１３が身体データの内、体重を用いて消費カロリーを算出する場合について説明したが、その他の身体データ（例えば、身長、年齢等）用いて消費カロリーを算出する形態でもよい。あるいは、標準消費カロリー値を用いて消費カロリーを算出する態様としてもよい。
【０１５３】
（Ｇ）本実施形態では、第１の記憶手段に格納されている運動が実行される時間帯として、実際の運動の開始時間から終了時間までとしたが、このようにすると、運度開始前に入室した利用者の認証操作時刻が、例えばスケジュール外（空き時間）となることが考えられる。そこで、入室を受け付ける受付時間（例えば運動開始の１０分前など）も含めて時間帯を設定する態様とすることが好ましい。この場合でも、消費カロリーの算出は実際の運動開始時間幅を考慮して算出するようにすればよい。
【０１５４】
（Ｈ）本実施形態では、運動データ管理用サーバ装置４は、運動が実行される時間帯がスケジュールとして格納されたスケジュール記憶部４６２３を内蔵したが、これに限定されず、スケジュール記憶部４６２３の機能を少なくとも備えるスケジュール管理部を別途、あるいは共有式として準備し、これにスケジュール情報を格納し、また管理させる態様としてもよく、この場合でも運動データ管理用サーバ装置４を広く捉え、スケジュール管理部を包含する概念として扱えばよい。また、この態様では、スケジュール管理部に管理者側からスケジュールが読み書き可能にしたタイムテーブルを持たせ、これに順次設定される運動のスケジュールを書き込むようにすれば、利便性が向上し、また、データが更新されるスケジュール管理部のタイムテーブルの保守、管理すればよく、メンテナンス等の煩雑さがなくなる。
【図面の簡単な説明】
【０１５５】
【図１】本発明の運動データ管理システムのハードウェア構成図の一例である。
【図２】スタジオゲートの外観斜視図である。
【図３】スタジオゲートの分解斜視図である。
【図４】スタジオゲートの内部構造を示す図である。
【図５】スタジオゲートのスイッチの設定方法を説明するための図である。
【図６】スタジオゲートの使用方法の一例を示す図である。
【図７】スタジオゲートの筐体に内装されている各基板と基板間の信号の流れを示す構成図である。
【図８】歩数計の外観を示す斜視図の一例である。
【図９】歩数計の主要部の機能構成図の一例である。
【図１０】運動機器の一例としてのサイクリングマシンの構成図である。
【図１１】運動機器の一例としてのサイクリングマシンのハードウェア構成図である。
【図１２】本発明の運動データ管理用サーバ装置のハードウェア構成図の一例である。
【図１３】運動データ管理用サーバ装置の制御部の機能構成図の一例である。
【図１４】クライアント端末装置のハードウェア構成図の一例である。
【図１５】クライアント端末装置の制御部の機能構成図の一例である。
【図１６】運動データ管理用サーバ装置の動作の概要を示すフローチャートの一例である。
【図１７】図１６に示すフローチャートのステップＳＴ３で行なわれるユーザーチェックイン処理の詳細フローチャートの一例である。
【図１８】図１６に示すフローチャートのステップＳＴ４で行なわれるユーザーチェックアウト処理の詳細フローチャートの一例である。
【図１９】図１６に示すフローチャートのステップＳＴ５で行なわれる運動機器ユーザー認証処理の詳細フローチャートの一例である。
【図２０】図１６に示すフローチャートのステップＳＴ６で行なわれる運動実績登録処理の詳細フローチャートの一例である。
【図２１】図２０に示すフローチャートのステップＳＴ６０７で行なわれるスタジオ利用処理（カロリー計算）の詳細フローチャートの一例である。
【図２２】図２０に示すフローチャートのステップＳＴ６０７で行なわれるスタジオ利用処理（カロリー計算）の他の詳細フローチャートの一例である。
【図２３】図１６に示すフローチャートのステップＳＴ７で行なわれる歩数計実績登録処理の詳細フローチャートの一例である。
【図２４】図１６に示すフローチャートのステップＳＴ８で行なわれる運動機器使用状況監視処理の詳細フローチャートの一例である。
【図２５】図１６に示すフローチャートのステップＳＴ９で行なわれる運動機器使用状況送信処理の詳細フローチャートの一例である。
【図２６】図１６に示すフローチャートのステップＳＴ１０で行なわれるアドバイス生成処理の詳細フローチャートの一例である。
【図２７】クライアント端末装置の動作の概要を示すフローチャートの一例である。
【図２８】図２７に示すフローチャートのステップＳＴ１５で行なわれる運動データ入力処理の詳細フローチャートの一例である。
【図２９】図２８に示すフローチャートのステップＳＴ１５５で行なわれる消費カロリー計算処理の詳細フローチャートの一例である。
【図３０】図２７に示すフローチャートのステップＳＴ１２で表示されるトップメニュー表示画面の画面図の一例である。
【図３１】図２７に示すフローチャートのステップＳＴ１３で表示される身体データ入力画面の画面図の一例である。
【図３２】図２７に示すフローチャートのステップＳＴ１４で表示される身体データ表示画面の画面図の一例である。
【図３３】図２７に示すフローチャートのステップＳＴ１５で表示される運動データ入力第１画面の画面図の一例である。
【図３４】図２７に示すフローチャートのステップＳＴ１５で表示される運動データ入力第２画面の画面図の一例である。
【図３５】図２７に示すフローチャートのステップＳＴ１５で表示される運動データ入力第３画面の画面図の一例である。
【図３６】図２７に示すフローチャートのステップＳＴ１６で表示される運動データ表示画面の画面図の一例である。
【図３７】図２７に示すフローチャートのステップＳＴ１７で表示されるアドバイス表示画面の画面図の一例である。
【符号の説明】
【０１５６】
３  スタジオゲート
３２  時刻カウンタ
３１０  筐体
３２０  樹脂板
３３０  化粧板
３４１  ＬＥＤ
３５４  アンテナ基板
３６０  配置場所選択スイッチ（設定手段）
４  運動データ管理用サーバ装置
４６  制御部
４６１  ＣＰＵ
４６１３  総消費カロリー計算部（運動データ取得手段）
４６１５  報知部
４６２３  スケジュール記憶部（第１の記憶手段、第２の記憶手段）
４６２４  身体データ記憶部（第３の記憶手段）
７  ＩＣチップ
８  リストバンド（固有情報記憶手段）
８１  通信部
【図１】
2007164623.tif 000003
【図２】
2007164623.tif 000004
【図３】
2007164623.tif 000005
【図４】
2007164623.tif 000006
【図５】
2007164623.tif 000007
【図６】
2007164623.tif 000008
【図７】
2007164623.tif 000009
【図８】
2007164623.tif 000010
【図９】
2007164623.tif 000011
【図１０】
2007164623.tif 000012
【図１１】
2007164623.tif 000013
【図１２】
2007164623.tif 000014
【図１３】
2007164623.tif 000015
【図１４】
2007164623.tif 000016
【図１５】
2007164623.tif 000017
【図１６】
2007164623.tif 000018
【図１７】
2007164623.tif 000019
【図１８】
2007164623.tif 000020
【図１９】
2007164623.tif 000021
【図２０】
2007164623.tif 000022
【図２１】
2007164623.tif 000023
【図２２】
2007164623.tif 000024
【図２３】
2007164623.tif 000025
【図２４】
2007164623.tif 000026
【図２５】
2007164623.tif 000027
【図２６】
2007164623.tif 000028
【図２７】
2007164623.tif 000029
【図２８】
2007164623.tif 000030
【図２９】
2007164623.tif 000031
【図３０】
2007164623.tif 000032
【図３１】
2007164623.tif 000033
【図３２】
2007164623.tif 000034
【図３３】
2007164623.tif 000035
【図３４】
2007164623.tif 000036
【図３５】
2007164623.tif 000037
【図３６】
2007164623.tif 000038
【図３７】
2007164623.tif 000039